(57)【要約】【課題】ＶＯＣをより正確に評価・推測できる方法及びシステムを提供する。【解決手段】Ｓ１を入れた容積Ｖ１内にＶＯＣ（Ａ）の同位体化合物（Ｂ）をＲＤ１１添加し、容器に残存した（Ｂ）ＲＤ２１を定量し、ＲＤ１１−ＲＤ２１からＲＤ３１を求め、ＲＤ３１／ＲＤ２１から係数Ｋ１１を求め、容積Ｖ１内での（Ａ）の揮発量ＲＨ１１を定量し、Ｋ１１×ＲＨ１１から残存量ＲＨ２１を求め、ＲＨ１１＋ＲＨ２１から含有量ＲＨ３１を求め、同様に容積Ｖｍの容器を用いた場合の試料Ｓｍの（Ａ）に対するＫ１ｍ及び含有量ＲＨ３ｍを求め、試料ＳｍをＹｍ個、容積Ｖｅｓｔ内に入れた場合の揮発量ＲＧの推測のため、試料Ｓｍの（Ａ）に対するＫ１ｍに各試料の個数Ｙｍを乗じ、Ｖｍ／Ｖｅｓｔを乗じた合計値Ｋａｌｌと、含有量ＲＨ３ｍに個数Ｙｍを乗じた合計値Ｒａｌｌを用い、Ｒａｌｌ÷（１＋Ｋａｌｌ）から揮発量ＲＧを推測する。【選択図】図９
2014044120.tif 000002
【特許請求の範囲】
【請求項１】
試料における揮発性有機化合物（Ａ）の吸着力を評価する吸着力評価方法であって、
前記試料を入れた容器内に、揮発性有機化合物（Ａ）に対応する同位体化合物（Ｂ）を所定量ＲＤ１添加した後に、
前記試料に移行せずに前記容器内に残存する同位体化合物（Ｂ）の残存量ＲＤ２を定量し、
前記試料に移行した同位体化合物（Ｂ）の移行量ＲＤ３を、下記式（１）から求め、
ＲＤ３＝ＲＤ１−ＲＤ２  …式（１）
前記試料の揮発性有機化合物（Ａ）に対する吸着力を下記式（２）の吸着係数Ｋ１により評価することを特徴とする吸着力評価方法。
Ｋ１＝ＲＤ３／ＲＤ２  …式（２）
【請求項２】
試料における揮発性有機化合物（Ａ）の含有量を推測する含有量推測方法であって、
前記試料を入れた容器内に、揮発性有機化合物（Ａ）に対応する同位体化合物（Ｂ）を所定量ＲＤ１添加した後に、
前記試料に移行せずに前記容器内に残存する同位体化合物（Ｂ）の残存量ＲＤ２を定量し、
前記試料に移行した同位体化合物（Ｂ）の移行量ＲＤ３を、下記式（１）から求め、
ＲＤ３＝ＲＤ１−ＲＤ２  …式（１）
前記試料の揮発性有機化合物（Ａ）に対する吸着係数Ｋ１を下記式（２）から求め、
Ｋ１＝ＲＤ３／ＲＤ２  …式（２）
前記容器内に揮発した揮発性有機化合物（Ａ）の揮発量ＲＨ１を定量し、
前記試料に残存する揮発性有機化合物（Ａ）の残存量ＲＨ２を下記式（３）から求め、
ＲＨ２＝Ｋ１×ＲＨ１  …式（３）
前記試料における揮発性有機化合物（Ａ）の含有量ＲＨ３を下記式（４）から推測することを特徴とする含有量推測方法。
ＲＨ３＝ＲＨ１＋ＲＨ２  …式（４）
【請求項３】
試料における揮発性有機化合物（Ａ）の揮発量を推測する揮発量推測方法であって、
前記試料を入れた所定容積Ｖ１の容器内に、揮発性有機化合物（Ａ）に対応する同位体化合物（Ｂ）を所定量ＲＤ１添加した後に、
前記試料に移行せずに前記容器内に残存する同位体化合物（Ｂ）の残存量ＲＤ２を定量し、
前記試料に移行した同位体化合物（Ｂ）の移行量ＲＤ３を、下記式（１）から求め、
ＲＤ３＝ＲＤ１−ＲＤ２  …式（１）
前記試料の揮発性有機化合物（Ａ）に対する吸着係数Ｋ１を下記式（２）から求め、
Ｋ１＝ＲＤ３／ＲＤ２  …式（２）
前記所定容積Ｖ１の容器内に揮発した揮発性有機化合物（Ａ）の揮発量ＲＨ１を定量し、
前記試料に残存する揮発性有機化合物（Ａ）の残存量ＲＨ２を下記式（３）から求め、
ＲＨ２＝Ｋ１×ＲＨ１  …式（３）
前記試料における揮発性有機化合物（Ａ）の含有量ＲＨ３を下記式（４）から求め、
ＲＨ３＝ＲＨ１＋ＲＨ２  …式（４）
前記試料の所定容積Ｖ２の容器内での揮発性有機化合物（Ａ）に対する吸着係数Ｋ２を下記式（５）から求め、
Ｋ２＝Ｋ１×（Ｖ１／Ｖ２）  …式（５）
前記試料を所定容積Ｖ２の容器内に入れた場合の揮発量ＲＧを下記式（６）から推測することを特徴とする揮発量推測方法。
ＲＧ＝ＲＨ３÷（１＋Ｋ２）  …式（６）
【請求項４】
試料における揮発性有機化合物（Ａ）の揮発量を推測する揮発量推測方法であって、
前記試料を入れた容器内に、揮発性有機化合物（Ａ）に対応する同位体化合物（Ｂ）を所定量ＲＤ１添加した後に、
前記試料に移行せずに前記容器内に残存する同位体化合物（Ｂ）の残存量ＲＤ２を定量し、
前記試料に移行した同位体化合物（Ｂ）の移行量ＲＤ３を、下記式（１）から求め、
ＲＤ３＝ＲＤ１−ＲＤ２  …式（１）
前記試料の揮発性有機化合物（Ａ）に対する吸着係数Ｋ１を下記式（２）から求め、
Ｋ１＝ＲＤ３／ＲＤ２  …式（２）
前記容器内に揮発した揮発性有機化合物（Ａ）の揮発量ＲＨ１を定量し、
前記試料に残存する揮発性有機化合物（Ａ）の残存量ＲＨ２を下記式（３）から求め、
ＲＨ２＝Ｋ１×ＲＨ１  …式（３）
前記試料における揮発性有機化合物（Ａ）の含有量ＲＨ３を下記式（４）から求め、
ＲＨ３＝ＲＨ１＋ＲＨ２  …式（４）
前記試料ｎ個の揮発性有機化合物（Ａ）に対する吸着係数Ｋ２を下記式（７）から求め、
Ｋ３＝Ｋ１×ｎ  …式（７）
前記試料ｎ個における揮発性有機化合物（Ａ）の含有量ＲＨ５を下記式（８）から求め、
ＲＨ５＝ＲＨ３×ｎ  …式（８）
前記試料ｎ個を容器内に入れた場合の揮発量ＲＧを下記式（９）から推測することを特徴とする揮発量推測方法。
ＲＧ＝ＲＨ５÷（１＋Ｋ３）  …式（９）
【請求項５】
試料における揮発性有機化合物（Ａ）の揮発量を推測する揮発量推測方法であって、
試料Ｓ１を入れた所定容積Ｖ１の容器内に、揮発性有機化合物（Ａ）に対応する同位体化合物（Ｂ）を所定量ＲＤ１１添加した後に、
前記試料Ｓ１に移行せずに前記容器内に残存する同位体化合物（Ｂ）の残存量ＲＤ２１を定量し、
前記試料に移行した同位体化合物（Ｂ）の移行量ＲＤ３１を、下記式（１）から求め、
ＲＤ３１＝ＲＤ１１−ＲＤ２１  …式（１）
前記試料の揮発性有機化合物（Ａ）に対する吸着係数Ｋ１１を下記式（２）から求め、
Ｋ１１＝ＲＤ３１／ＲＤ２１  …式（２）
前記所定容積Ｖ１の容器内に揮発した揮発性有機化合物（Ａ）の揮発量ＲＨ１１を定量し、
前記試料に残存する揮発性有機化合物（Ａ）の残存量ＲＨ２１を下記式（３）から求め、
ＲＨ２１＝Ｋ１１×ＲＨ１１  …式（３）
前記試料における揮発性有機化合物（Ａ）の含有量ＲＨ３１を下記式（４）から求め、
ＲＨ３１＝ＲＨ１１＋ＲＨ２１  …式（４）
上記の方法と同様に、所定容積Ｖｍの容器を用いた場合の各試料Ｓｍ（但し、ｍは２以上の整数）の揮発性有機化合物（Ａ）に対するそれぞれの吸着係数Ｋ１ｍ、及びそれぞれの揮発性有機化合物（Ａ）の含有量ＲＨ３ｍを求め、
各試料Ｓｍ（但し、ｍは１以上の整数）をそれぞれＹｍ個、所定容積Ｖｅｓｔの容器内に入れた場合の揮発量ＲＧを推測するために、
各試料Ｓｍ（但し、ｍは１以上の整数）の揮発性有機化合物（Ａ）に対する吸着係数Ｋ１ｍに各試料の個数Ｙｍを乗じて、更にＶｍ／Ｖｅｓｔの値を乗じた値の合計値を吸着係数Ｋａｌｌとし、各試料の含有量ＲＨ３ｍに各試料の個数Ｙｍを乗じた値の合計値を含有量Ｒａｌｌとした場合に、
前記所定容積Ｖｅｓｔの容器内での揮発量ＲＧを下記式（１０）より推測することを特徴とする揮発量推測方法。
ＲＧ＝Ｒａｌｌ÷（１＋Ｋａｌｌ）  …式（１０）
【請求項６】
試料における揮発性有機化合物（Ａ）の吸着力を評価する吸着力評価システムであって、
前記試料が入れられるとともに、揮発性有機化合物（Ａ）に対応する同位体化合物（Ｂ）が所定量ＲＤ１添加された容器内で、前記試料に移行せずに前記容器内に残存された同位体化合物（Ｂ）の残存量をＲＤ２とした場合に、
前記残存量ＲＤ２用いて下記式（１）から、前記試料に移行した同位体化合物（Ｂ）の移行量ＲＤ３を求めるＲＤ３演算手段と、
ＲＤ３＝ＲＤ１−ＲＤ２  …式（１）
前記残存量ＲＤ２及び前記移行量ＲＤ３を用いて下記式（２）から、前記試料の揮発性有機化合物（Ａ）に対する吸着係数Ｋ１を求めるＫ１演算手段と、を備えることを特徴とする吸着力評価システム。
Ｋ１＝ＲＤ３／ＲＤ２  …式（２）
【請求項７】
試料における揮発性有機化合物（Ａ）の含有量を推測する含有量推測システムであって、
前記試料が入れられるとともに、揮発性有機化合物（Ａ）に対応する同位体化合物（Ｂ）が所定量ＲＤ１添加された容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
ＲＤ３＝ＲＤ１−ＲＤ２  …式（１）
前記残存量ＲＤ２及び前記移行量ＲＤ３を用いて下記式（２）から、前記試料の揮発性有機化合物（Ａ）に対する吸着係数Ｋ１を求めるＫ１演算手段と、
Ｋ１＝ＲＤ３／ＲＤ２  …式（２）
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
ＲＨ２＝Ｋ１×ＲＨ１  …式（３）
前記揮発量ＲＨ１及び前記残存量ＲＨ２を用いて下記式（４）から、前記試料における揮発性有機化合物（Ａ）の含有量ＲＨ３を求めるＲＨ３演算手段と、を備えることを特徴とする含有量推測システム。
ＲＨ３＝ＲＨ１＋ＲＨ２  …式（４）
【請求項８】
試料における揮発性有機化合物（Ａ）の揮発量を推測する揮発量推測システムであって、
前記試料が入れられるとともに、揮発性有機化合物（Ａ）に対応する同位体化合物（Ｂ）が所定量ＲＤ１添加された所定容積Ｖ１の容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
ＲＤ３＝ＲＤ１−ＲＤ２  …式（１）
前記残存量ＲＤ２及び前記移行量ＲＤ３を用いて下記式（２）から、前記所定容積Ｖ１における前記試料の揮発性有機化合物（Ａ）に対する吸着係数Ｋ１を求めるＫ１演算手段と、
Ｋ１＝ＲＤ３／ＲＤ２  …式（２）
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
ＲＨ２＝Ｋ１×ＲＨ１  …式（３）
前記揮発量ＲＨ１及び前記残存量ＲＨ２を用いて下記式（４）から、前記試料における揮発性有機化合物（Ａ）の含有量ＲＨ３を求めるＲＨ３演算手段と、
ＲＨ３＝ＲＨ１＋ＲＨ２  …式（４）
前記吸着係数Ｋ１を用いて下記式（５）から、所定容積Ｖ２における前記試料の揮発性有機化合物（Ａ）に対する吸着係数Ｋ２を求めるＫ２演算手段と、
Ｋ２＝Ｋ１×（Ｖ１／Ｖ２）  …式（５）
前記含有量ＲＨ３及び前記Ｋ２を用いて下記式（６）から、前記所定容積Ｖ２の容器内での前記揮発性有機化合物（Ａ）の揮発量ＲＧを求めるＲＧ演算手段と、を備えることを特徴とする揮発量推測システム。
ＲＧ＝ＲＨ３÷（１＋Ｋ２）  …式（６）
【請求項９】
試料における揮発性有機化合物（Ａ）の揮発量を推測する揮発量推測システムであって、
前記試料が入れられるとともに、揮発性有機化合物（Ａ）に対応する同位体化合物（Ｂ）が所定量ＲＤ１添加された所定容積Ｖ１の容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
ＲＤ３＝ＲＤ１−ＲＤ２  …式（１）
前記残存量ＲＤ２及び前記移行量ＲＤ３を用いて下記式（２）から、前記所定容積Ｖ１における前記試料の揮発性有機化合物（Ａ）に対する吸着係数Ｋ１を求めるＫ１演算手段と、
Ｋ１＝ＲＤ３／ＲＤ２  …式（２）
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
ＲＨ２＝Ｋ１×ＲＨ１  …式（３）
前記揮発量ＲＨ１及び前記残存量ＲＨ２を用いて下記式（４）から、前記試料における揮発性有機化合物（Ａ）の含有量ＲＨ３を求めるＲＨ３演算手段と、
ＲＨ３＝ＲＨ１＋ＲＨ２  …式（４）
前記吸着係数Ｋ１を用いて下記式（７）から、前記試料ｎ個の揮発性有機化合物（Ａ）に対する吸着係数Ｋ３を求めるＫ３演算手段と、
Ｋ３＝Ｋ１×ｎ  …式（７）
前記含有量ＲＨ３を用いて下記式（８）から、前記試料ｎ個における揮発性有機化合物（Ａ）の含有量ＲＨ５を求めるＲＨ５演算手段と、
ＲＨ５＝ＲＨ３×ｎ  …式（８）
前記吸着係数Ｋ３及び前記含有量ＲＨ５を用いて下記式（９）から、前記試料ｎ個の容器内における揮発性有機化合物（Ａ）の揮発量ＲＧを求めるＲＧ演算手段と、を備えることを特徴とする揮発量推測システム。
ＲＧ＝ＲＨ５÷（１＋Ｋ３）  …式（９）
【請求項１０】
試料における揮発性有機化合物（Ａ）の揮発量を推測する揮発量推測システムであって、
試料Ｓ１が入れられるとともに、揮発性有機化合物（Ａ）に対応する同位体化合物（Ｂ）が所定量ＲＤ１１添加された所定容積Ｖ１の容器内で、前記試料Ｓ１に移行せずに前記容器内に残存された同位体化合物（Ｂ）の残存量をＲＤ２１とし、前記容器内に揮発した揮発性有機化合物（Ａ）の揮発量をＲＨ１１とした場合に、
前記残存量ＲＤ２１用いて下記式（１）から、前記試料Ｓ１に移行した同位体化合物（Ｂ）の移行量ＲＤ３１を求めるＲＤ３１演算手段と、
ＲＤ３１＝ＲＤ１１−ＲＤ２１  …式（１）
前記残存量ＲＤ２１及び前記移行量ＲＤ３１を用いて下記式（２）から、前記所定容積Ｖ１における前記試料Ｓ１の揮発性有機化合物（Ａ）に対する吸着係数Ｋ１１を求めるＫ１１演算手段と、
Ｋ１１＝ＲＤ３１／ＲＤ２１  …式（２）
前記吸着係数Ｋ１１及び前記揮発量ＲＨ１１を用いて下記式（３）から、前記試料Ｓ１に残存する揮発性有機化合物（Ａ）の残存量ＲＨ２１を求めるＲＨ２１演算手段と、
ＲＨ２１＝Ｋ１１×ＲＨ１１  …式（３）
前記揮発量ＲＨ１１及び前記残存量ＲＨ２１を用いて下記式（４）から、前記試料Ｓ１における揮発性有機化合物（Ａ）の含有量ＲＨ３１を求めるＲＨ３１演算手段と、
ＲＨ３１＝ＲＨ１１＋ＲＨ２１  …式（４）
上記と同様に、所定容積Ｖｍの容器を用いた場合の各試料Ｓｍ（但し、ｍは２以上の整数）における同位体化合物（Ｂ）の移行量ＲＤ３ｍを求めるＲＤ３ｍ演算手段と、揮発性有機化合物（Ａ）に対するＫ１ｍを求めるＫ１ｍ演算手段と、揮発性有機化合物（Ａ）の残存量ＲＨ２ｍを求めるＲＨ２ｍ演算手段と、揮発性有機化合物（Ａ）の含有量ＲＨ３ｍを求めるＲＨ３ｍ演算手段と、
前記各試料Ｓｍ（但し、ｍは１以上の整数）をそれぞれＹｍ個、所定容積Ｖｅｓｔの容器内に入れた場合の揮発量ＲＧを推測するために、
各試料Ｓｍ（但し、ｍは１以上の整数）の揮発性有機化合物（Ａ）に対する吸着係数Ｋ１ｍに各試料の個数Ｙｍを乗じて、更にＶｍ／Ｖｅｓｔの値を乗じた値の合計値である吸着係数Ｋａｌｌを求めるＫａｌｌ演算手段と、
各試料の含有量ＲＨ３ｍに各試料の個数Ｙｍを乗じた値の合計値である含有量Ｒａｌｌを求めるＲａｌｌ演算手段と、
前記吸着係数Ｋａｌｌ及び前記含有量Ｒａｌｌを用いて下記式（１０）から、所定容積Ｖｅｓｔの容器内での揮発量ＲＧを求めるＲＧ演算手段と、を備えることを特徴とする揮発量推測システム。
ＲＧ＝Ｒall÷（１＋Ｋall）  …式（１０）
【発明の詳細な説明】
【技術分野】
【０００１】
本発明は、揮発性有機化合物の吸着力評価方法、含有量推測方法、揮発量推測方法及びそれらに関するシステムに関する。更に詳しくは、本発明は、試料における揮発性有機化合物に対する吸着力を評価する吸着力評価方法、試料における揮発性有機化合物の含有量を推測する含有量推測方法、試料からの揮発性有機化合物の揮発量を推測する揮発量推測方法、試料における揮発性有機化合物に対する吸着力を評価する吸着力評価システム、試料における揮発性有機化合物の含有量を推測する含有量推測システム、試料からの揮発性有機化合物の揮発量を推測する揮発量推測システムに関する。
【背景技術】
【０００２】
近年、各種製品の使用時に放出される揮発性有機化合物（以下、単に「ＶＯＣ」という）に対する関心が高まり、ＶＯＣの挙動をより正確に把握する試みが種々なされている。従来、各部品を実際に製造し、更に、それを利用する空間内で組み合わせ、得られた完成品について実測しなければ正確なＶＯＣ放出量は知ることができなかった。
しかし、自動車のように部品点数の多い完成品や、住宅のようにスケールが非常に大きな完成品では、これらを逐一製造したうえで実測することは極めて困難である。そこで、近年、実測可能な各パーツ毎に測定されたＶＯＣ放出量を利用し、完成品におけるＶＯＣ挙動を予測しようとする試みがなされている。このような技術としては、下記特許文献１が知られている。
【先行技術文献】
【特許文献】
【０００３】
【特許文献１】特開２０１０−２６６３４８号公報
【発明の概要】
【発明が解決しようとする課題】
【０００４】
上記特許文献１は、車室内装部品のＶＯＣ放出量を推定する方法及びその装置である。この特許文献１では、装着状態での内装部品の車室内空間側に露出する面積の割合を利用してＶＯＣ揮発量が推定されている。しかしながら、実際には、この方法を用いてＶＯＣ放出量を推定すると、推定値と実測値との間で大きな乖離を生むことが分かった。
本発明は、上記問題点に鑑みてなされたものであり、揮発性有機化合物の吸着力、含有量、揮発量を、従来に比べてより正確に評価・推測できる揮発性有機化合物の吸着力評価方法、含有量推測方法、揮発量推測方法及びそれらに関するシステムを提供することを目的とする。
【課題を解決するための手段】
【０００５】
即ち、上記問題点を解決するために、請求項１に記載の吸着力評価方法は、試料における揮発性有機化合物（Ａ）の吸着力を評価する吸着力評価方法であって、
前記試料を入れた容器内に、揮発性有機化合物（Ａ）に対応する同位体化合物（Ｂ）を所定量ＲＤ１添加した後に、
前記試料に移行せずに前記容器内に残存する同位体化合物（Ｂ）の残存量ＲＤ２を定量し、
前記試料に移行した同位体化合物（Ｂ）の移行量ＲＤ３を、下記式（１）から求め、
前記試料の揮発性有機化合物（Ａ）に対する吸着力を下記式（２）の吸着係数Ｋ１により評価することを要旨とする。
ＲＤ３＝ＲＤ１−ＲＤ２  …式（１）
Ｋ１  ＝ＲＤ３／ＲＤ２  …式（２）
【０００６】
請求項２に記載の含有量推測方法は、試料における揮発性有機化合物（Ａ）の含有量を推測する含有量推測方法であって、
前記試料を入れた容器内に、揮発性有機化合物（Ａ）に対応する同位体化合物（Ｂ）を所定量ＲＤ１添加した後に、
前記試料に移行せずに前記容器内に残存する同位体化合物（Ｂ）の残存量ＲＤ２を定量し、
前記試料に移行した同位体化合物（Ｂ）の移行量ＲＤ３を、下記式（１）から求め、
前記試料の揮発性有機化合物（Ａ）に対する吸着係数Ｋ１を下記式（２）から求め、
前記容器内に揮発した揮発性有機化合物（Ａ）の揮発量ＲＨ１を定量し、
前記試料に残存する揮発性有機化合物（Ａ）の残存量ＲＨ２を下記式（３）から求め、
前記試料における揮発性有機化合物（Ａ）の含有量ＲＨ３を下記式（４）から推測することを要旨とする。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
【０００７】
請求項３に記載の揮発量推測方法は、試料における揮発性有機化合物（Ａ）の揮発量を推測する揮発量推測方法であって、
前記試料を入れた所定容積Ｖ１の容器内に、揮発性有機化合物（Ａ）に対応する同位体化合物（Ｂ）を所定量ＲＤ１添加した後に、
前記試料に移行せずに前記容器内に残存する同位体化合物（Ｂ）の残存量ＲＤ２を定量し、
前記試料に移行した同位体化合物（Ｂ）の移行量ＲＤ３を、下記式（１）から求め、
前記試料の揮発性有機化合物（Ａ）に対する吸着係数Ｋ１を下記式（２）から求め、
前記容器内に揮発した揮発性有機化合物（Ａ）の揮発量ＲＨ１を定量し、
前記試料に残存する揮発性有機化合物（Ａ）の残存量ＲＨ２を下記式（３）から求め、
前記試料における揮発性有機化合物（Ａ）の含有量ＲＨ３を下記式（４）から求め、
前記試料の所定容積Ｖ２の容器内での揮発性有機化合物（Ａ）に対する吸着係数Ｋ２を下記式（５）から求め、
前記試料を所定容積Ｖ２の容器内に入れた場合の揮発量ＲＧを下記式（６）から推測することを要旨とする。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
Ｋ２＝Ｋ１×（Ｖ１／Ｖ２）  …式（５）
ＲＧ＝ＲＨ３÷（１＋Ｋ２）  …式（６）
【０００８】
請求項４に記載の揮発量推測方法は、試料における揮発性有機化合物（Ａ）の揮発量を推測する揮発量推測方法であって、
前記試料を入れた容器内に、揮発性有機化合物（Ａ）に対応する同位体化合物（Ｂ）を所定量ＲＤ１添加した後に、
前記試料に移行せずに前記容器内に残存する同位体化合物（Ｂ）の残存量ＲＤ２を定量し、
前記試料に移行した同位体化合物（Ｂ）の移行量ＲＤ３を、下記式（１）から求め、
前記試料の揮発性有機化合物（Ａ）に対する吸着係数Ｋ１を下記式（２）から求め、
前記容器内に揮発した揮発性有機化合物（Ａ）の揮発量ＲＨ１を定量し、
前記試料に残存する揮発性有機化合物（Ａ）の残存量ＲＨ２を下記式（３）から求め、
前記試料における揮発性有機化合物（Ａ）の含有量ＲＨ３を下記式（４）から求め、
前記試料ｎ個の揮発性有機化合物（Ａ）に対する吸着係数Ｋ２を下記式（７）から求め、
前記試料ｎ個における揮発性有機化合物（Ａ）の含有量ＲＨ５を下記式（８）から求め、
前記試料ｎ個を容器内に入れた場合の揮発量ＲＧを下記式（９）から推測することを要旨とする。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
Ｋ３  ＝Ｋ１  ×ｎ  …式（７）
ＲＨ５＝ＲＨ３×ｎ  …式（８）
ＲＧ＝ＲＨ５÷（１＋Ｋ３）  …式（９）
【０００９】
請求項５に記載の揮発量推測方法は、試料における揮発性有機化合物（Ａ）の揮発量を推測する揮発量推測方法であって、
試料Ｓ１を入れた所定容積Ｖ１の容器内に、揮発性有機化合物（Ａ）に対応する同位体化合物（Ｂ）を所定量ＲＤ１１添加した後に、
前記試料Ｓ１に移行せずに前記容器内に残存する同位体化合物（Ｂ）の残存量ＲＤ２１を定量し、
前記試料に移行した同位体化合物（Ｂ）の移行量ＲＤ３１を、下記式（１）から求め、
前記試料の揮発性有機化合物（Ａ）に対する吸着係数Ｋ１１を下記式（２）から求め、
前記容器内に揮発した揮発性有機化合物（Ａ）の揮発量ＲＨ１１を定量し、
前記試料に残存する揮発性有機化合物（Ａ）の残存量ＲＨ２１を下記式（３）から求め、
前記試料における揮発性有機化合物（Ａ）の含有量ＲＨ３１を下記式（４）から求め、
上記の方法と同様に、所定容積Ｖｍの容器を用いた場合の各試料Ｓｍ（但し、ｍは２以上の整数）の揮発性有機化合物（Ａ）に対するそれぞれの吸着係数Ｋ１ｍ、及びそれぞれの揮発性有機化合物（Ａ）の含有量ＲＨ３ｍを求め、
各試料Ｓｍ（但し、ｍは１以上の整数）をそれぞれＹｍ個、所定容積Ｖｅｓｔの容器内に入れた場合の揮発量ＲＧを推測するために、
各試料Ｓｍ（但し、ｍは１以上の整数）の揮発性有機化合物（Ａ）に対する吸着係数Ｋ１ｍに各試料の個数Ｙｍを乗じて、更にＶｍ／Ｖｅｓｔの値を乗じた値の合計値を吸着係数Ｋａｌｌとし、各試料の含有量ＲＨ３ｍに各試料の個数Ｙｍを乗じた値の合計値を含有量Ｒａｌｌとした場合に、
前記所定容積Ｖｅｓｔの容器内での揮発量ＲＧを下記式（１０）より推測することを特徴とする揮発量推測方法。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
ＲＧ＝Ｒａｌｌ÷（１＋Ｋａｌｌ）  …式（１０）
【００１０】
請求項６に記載の吸着力評価システムは、試料における揮発性有機化合物（Ａ）の吸着力を評価する吸着力評価システムであって、
前記試料が入れられるとともに、揮発性有機化合物（Ａ）に対応する同位体化合物（Ｂ）が所定量ＲＤ１添加された容器内で、前記試料に移行せずに前記容器内に残存された同位体化合物（Ｂ）の残存量をＲＤ２とした場合に、
前記残存量ＲＤ２用いて下記式（１）から、前記試料に移行した同位体化合物（Ｂ）の移行量ＲＤ３を求めるＲＤ３演算手段と、
前記残存量ＲＤ２及び前記移行量ＲＤ３を用いて下記式（２）から、前記試料の揮発性有機化合物（Ａ）に対する吸着係数Ｋ１を求めるＫ１演算手段と、を備えることを要旨とする。
ＲＤ３＝ＲＤ１−ＲＤ２  …式（１）
Ｋ１  ＝ＲＤ３／ＲＤ２  …式（２）
【００１１】
請求項７に記載の含有量推定システムは、試料における揮発性有機化合物（Ａ）の含有量を推測する含有量推測システムであって、
前記試料が入れられるとともに、揮発性有機化合物（Ａ）に対応する同位体化合物（Ｂ）が所定量ＲＤ１添加された容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
前記残存量ＲＤ２及び前記移行量ＲＤ３を用いて下記式（２）から、前記試料の揮発性有機化合物（Ａ）に対する吸着係数Ｋ１を求めるＫ１演算手段と、
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
前記揮発量ＲＨ１及び前記残存量ＲＨ２を用いて下記式（４）から、前記試料における揮発性有機化合物（Ａ）の含有量ＲＨ３を求めるＲＨ３演算手段と、を備えることを要旨とする。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
【００１２】
請求項８に記載の揮発量推定システムは、試料における揮発性有機化合物（Ａ）の揮発量を推測する揮発量推測システムであって、
前記試料が入れられるとともに、揮発性有機化合物（Ａ）に対応する同位体化合物（Ｂ）が所定量ＲＤ１添加された所定容積Ｖ１の容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
前記残存量ＲＤ２及び前記移行量ＲＤ３を用いて下記式（２）から、前記所定容積Ｖ１における前記試料の揮発性有機化合物（Ａ）に対する吸着係数Ｋ１を求めるＫ１演算手段と、
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
前記揮発量ＲＨ１及び前記残存量ＲＨ２を用いて下記式（４）から、前記試料における揮発性有機化合物（Ａ）の含有量ＲＨ３を求めるＲＨ３演算手段と、
前記吸着係数Ｋ１を用いて下記式（５）から、所定容積Ｖ２における前記試料の揮発性有機化合物（Ａ）に対する吸着係数Ｋ２を求めるＫ２演算手段と、
前記含有量ＲＨ３及び前記Ｋ２を用いて下記式（６）から、前記所定容積Ｖ２の容器内での前記揮発性有機化合物（Ａ）の揮発量ＲＧを求めるＲＧ演算手段と、を備えることを要旨とする。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
Ｋ２＝Ｋ１×（Ｖ１／Ｖ２）  …式（５）
ＲＧ＝ＲＨ３÷（１＋Ｋ２）  …式（６）
【００１３】
請求項９に記載の揮発量推定システムは、試料における揮発性有機化合物（Ａ）の揮発量を推測する揮発量推測システムであって、
前記試料が入れられるとともに、揮発性有機化合物（Ａ）に対応する同位体化合物（Ｂ）が所定量ＲＤ１添加された容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
前記残存量ＲＤ２及び前記移行量ＲＤ３を用いて下記式（２）から、前記試料の揮発性有機化合物（Ａ）に対する吸着係数Ｋ１を求めるＫ１演算手段と、
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
前記揮発量ＲＨ１及び前記残存量ＲＨ２を用いて下記式（４）から、前記試料における揮発性有機化合物（Ａ）の含有量ＲＨ３を求めるＲＨ３演算手段と、
前記吸着係数Ｋ１を用いて下記式（７）から、前記試料ｎ個の揮発性有機化合物（Ａ）に対する吸着係数Ｋ３を求めるＫ３演算手段と、
前記含有量ＲＨ３を用いて下記式（８）から、前記試料ｎ個における揮発性有機化合物（Ａ）の含有量ＲＨ５を求めるＲＨ５演算手段と、
前記吸着係数Ｋ３及び前記含有量ＲＨ５を用いて下記式（９）から、前記試料ｎ個の前記容器内における揮発性有機化合物（Ａ）の揮発量ＲＧを求めるＲＧ演算手段と、を備えることを要旨とする。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
Ｋ３  ＝Ｋ１  ×ｎ  …式（７）
ＲＨ５＝ＲＨ３×ｎ  …式（８）
ＲＧ＝ＲＨ５÷（１＋Ｋ３）  …式（９）
【００１４】
請求項１０に記載の揮発量推測システムは、試料における揮発性有機化合物（Ａ）の揮発量を推測する揮発量推測システムであって、
試料Ｓ１が入れられるとともに、揮発性有機化合物（Ａ）に対応する同位体化合物（Ｂ）が所定量ＲＤ１１添加された所定容積Ｖ１の容器内で、前記試料Ｓ１に移行せずに前記容器内に残存された同位体化合物（Ｂ）の残存量をＲＤ２１とし、前記容器内に揮発した揮発性有機化合物（Ａ）の揮発量をＲＨ１１とした場合に、
前記残存量ＲＤ２１用いて下記式（１）から、前記試料Ｓ１に移行した同位体化合物（Ｂ）の移行量ＲＤ３１を求めるＲＤ３１演算手段と、
前記残存量ＲＤ２１及び前記移行量ＲＤ３１を用いて下記式（２）から、前記所定容積Ｖ１における前記試料Ｓ１の揮発性有機化合物（Ａ）に対する吸着係数Ｋ１１を求めるＫ１１演算手段と、
前記吸着係数Ｋ１１及び前記揮発量ＲＨ１１を用いて下記式（３）から、前記試料Ｓ１に残存する揮発性有機化合物（Ａ）の残存量ＲＨ２１を求めるＲＨ２１演算手段と、
前記揮発量ＲＨ１１及び前記残存量ＲＨ２１を用いて下記式（４）から、前記試料Ｓ１における揮発性有機化合物（Ａ）の含有量ＲＨ３１を求めるＲＨ３１演算手段と、
上記と同様に、所定容積Ｖｍの容器を用いた場合の各試料Ｓｍ（但し、ｍは２以上の整数）における同位体化合物（Ｂ）の移行量ＲＤ３ｍを求めるＲＤ３ｍ演算手段と、揮発性有機化合物（Ａ）に対するＫ１ｍを求めるＫ１ｍ演算手段と、揮発性有機化合物（Ａ）の残存量ＲＨ２ｍを求めるＲＨ２ｍ演算手段と、揮発性有機化合物（Ａ）の含有量ＲＨ３ｍを求めるＲＨ３ｍ演算手段と、を備えるとともに、
前記各試料Ｓｍ（但し、ｍは１以上の整数）をそれぞれＹｍ個、所定容積Ｖｅｓｔの容器内に入れた場合の揮発量ＲＧを推測するために、
各試料Ｓｍ（但し、ｍは１以上の整数）の揮発性有機化合物（Ａ）に対する吸着係数Ｋ１ｍに各試料の個数Ｙｍを乗じて、更にＶｍ／Ｖｅｓｔの値を乗じた値の合計値である吸着係数Ｋａｌｌを求めるＫａｌｌ演算手段と、
各試料の含有量ＲＨ３ｍに各試料の個数Ｙｍを乗じた値の合計値である含有量Ｒａｌｌを求めるＲａｌｌ演算手段と、
前記吸着係数Ｋａｌｌ及び前記含有量Ｒａｌｌを用いて下記式（１０）から、所定容積Ｖｅｓｔの容器内での揮発量ＲＧを求めるＲＧ演算手段と、を備えることを要旨とする。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
ＲＧ＝Ｒａｌｌ÷（１＋Ｋａｌｌ）  …式（１０）
【発明の効果】
【００１５】
請求項１に記載の吸着力評価方法によれば、試料が有する揮発性有機化合物に対する吸着力を吸着係数として評価することができる。更に、この吸着係数を利用することで、試料の潜在的なＶＯＣの含有量を推測でき、更には、これらの吸着係数及び含有量を利用することで、揮発性有機化合物の揮発量を、従来に比べてより正確に推測することができる。
【００１６】
請求項２に記載の含有量推測方法によれば、試料の潜在的な揮発性有機化合物の含有量を推測できる。そして、別途評価される吸着係数とともに、この含有量を利用することで、揮発性有機化合物の揮発量を、従来に比べてより正確に推測することができる。
【００１７】
請求項３に記載の揮発量推測方法によれば、容積Ｖ１の容器内におけるデータ（吸着係数、含有量、揮発量）を利用して、容積Ｖ２における試料の揮発性有機化合物の揮発量を、従来に比べてより正確に推測することができる。
【００１８】
請求項４に記載の揮発量推測方法によれば、１つの試料に関するデータ（吸着係数、含有量、揮発量）を利用して、ｎ個の試料の揮発性有機化合物の揮発量を、従来に比べてより正確に推測することができる。
【００１９】
請求項５に記載の揮発量推測方法によれば、試料Ｓｍ（但し、ｍは１以上の整数）の容積Ｖｍの容器内におけるデータ（吸着係数、含有量、揮発量）を利用して、それぞれＹｍ個の試料Ｓｍ（但し、ｍは１以上の整数）をまとめて容積Ｖｅｓｔの容器内に投入した場合における全試料からの揮発性有機化合物の揮発量を、従来に比べてより正確に推測することができる。
【００２０】
請求項６に記載の吸着力評価システムによれば、試料が有する揮発性有機化合物に対する吸着力を吸着係数として算出できる。更に、この吸着係数を利用することで、試料の潜在的なＶＯＣの含有量を推測でき、更には、これらの吸着係数及び含有量を利用することで、揮発性有機化合物の揮発量を、従来に比べてより正確に推測することができる。
【００２１】
請求項７に記載の含有量推測システムによれば、試料の潜在的な揮発性有機化合物の含有量を推測できる。そして、別途評価される吸着係数とともに、この含有量を利用することで、揮発性有機化合物の揮発量を、従来に比べてより正確に推測することができる。
【００２２】
請求項８に記載の揮発量推測システムによれば、容積Ｖ１の容器内におけるデータ（吸着係数、含有量、揮発量）を利用して、容積Ｖ２における試料の揮発性有機化合物の揮発量を、従来に比べてより正確に推測することができる。
【００２３】
請求項９に記載の揮発量推測システムによれば、１つの試料に関するデータ（吸着係数、含有量、揮発量）を利用して、ｎ個の試料の揮発性有機化合物の揮発量を、従来に比べてより正確に推測することができる。
【００２４】
請求項１０に記載の揮発量推測システムによれば、試料Ｓｍ（但し、ｍは１以上の整数）の容積Ｖｍの容器内におけるデータ（吸着係数、含有量、揮発量）を利用して、それぞれＹｍ個の試料Ｓｍ（但し、ｍは１以上の整数）をまとめて容積Ｖｅｓｔの容器内に投入した場合における全試料からの揮発性有機化合物の揮発量を、従来に比べてより正確に推測することができる。
【図面の簡単な説明】
【００２５】
本発明について、本発明による典型的な実施形態の非限定的な例を挙げ、言及された複数の図面を参照しつつ以下の詳細な記述にて更に説明するが、同様の参照符号は図面のいくつかの図を通して同様の部位を示す。
【図１】請求項１に係る吸着力評価方法を説明するための説明図である。
【図２】請求項６に係る吸着力評価システムを説明するための説明図である。
【図３】請求項２に係る含有量推測方法を説明するための説明図である。
【図４】請求項７に係る含有量推測システムを説明するための説明図である。
【図５】請求項３に係る揮発量推測方法を説明するための説明図である。
【図６】請求項８に係る揮発量推測システムを説明するための説明図である。
【図７】請求項４に係る揮発量推測方法を説明するための説明図である。
【図８】請求項９に係る揮発量推測システムを説明するための説明図である。
【図９】請求項５に係る揮発量推測方法を説明するための説明図である。
【図１０】請求項１０に係る揮発量推測システムを説明するための説明図である。
【発明を実施するための形態】
【００２６】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００２７】
［１］吸着力評価方法及びそのシステム
本発明の吸着力評価方法（図１参照）は、試料における揮発性有機化合物（Ａ）の吸着力を評価する吸着力評価方法である。吸着力は吸着係数Ｋとして表され、試料Ｓが、揮発性有機化合物（Ａ）をどの程度、吸着し得るのかを示す指標となる。具体的には、吸着係数Ｋが大きいほど、試料Ｓが揮発性有機化合物（Ａ）を吸着する力が大きいことを示し、逆に、吸着係数Ｋが小さいほど、試料Ｓが揮発性有機化合物（Ａ）を吸着する力が小さいことを示すこととなる。従って、異なる試料Ｓ間の吸着係数Ｋの大小を比較することで、これら各々の揮発性有機化合物（Ａ）に対する吸着力の大小を互いに比較することができる。
【００２８】
この吸着力は、試料Ｓを入れた容器Ｌ内に、揮発性有機化合物（Ａ）に対応する同位体化合物（Ｂ）を所定量ＲＤ１添加した後に、試料Ｓに移行せずに容器Ｌ内に残存する同位体化合物（Ｂ）の残存量ＲＤ２を定量した後、下記式（１）及び下記式（２）を利用して、吸着係数Ｋ１として求めることができる。
ＲＤ３＝ＲＤ１−ＲＤ２  …式（１）
Ｋ１  ＝ＲＤ３／ＲＤ２  …式（２）
【００２９】
上記式（１）｛ＲＤ３＝ＲＤ１−ＲＤ２｝は、所定量ＲＤ１と残存量ＲＤ２から、試料Ｓ内に移行された同位体化合物（Ｂ）の移行量ＲＤ３を求めるための演算である。
また、上記式（２）｛Ｋ１＝ＲＤ３／ＲＤ２｝は、残存量ＲＤ２と移行量ＲＤ３との比（ＲＤ３／ＲＤ２）を吸着係数Ｋ１として求めるための演算である。
これらの式（１）及び式（２）は、当然のことながら、一括して下記式（１５）とすることもできる。
Ｋ１＝（ＲＤ１−ＲＤ２）／ＲＤ２  …式（１５）
【００３０】
一方、本発明の吸着力評価システム（図２参照）は、試料における揮発性有機化合物（Ａ）の吸着力を評価する吸着力評価システムであって、上記本発明の吸着力評価方法を行うことができるシステムである。即ち、所定量ＲＤ１及び揮発量ＲＨ１、を用いて、上述の評価方法と同じ式（１）及び式（２）に対応する各演算手段を利用して、吸着係数Ｋ１を算出できるシステムである。
【００３１】
具体的には、前記試料が入れられるとともに、揮発性有機化合物（Ａ）に対応する同位体化合物（Ｂ）が所定量ＲＤ１添加された容器内で、前記試料に移行せずに前記容器内に残存された同位体化合物（Ｂ）の残存量をＲＤ２とした場合に、
前記残存量ＲＤ２用いて下記式（１）から、前記試料に移行した同位体化合物（Ｂ）の移行量ＲＤ３を求めるＲＤ３演算手段と、
前記残存量ＲＤ２及び前記移行量ＲＤ３を用いて下記式（２）から、前記試料の揮発性有機化合物（Ａ）に対する吸着係数Ｋ１を求めるＫ１演算手段と、を備える。
ＲＤ３＝ＲＤ１−ＲＤ２  …式（１）
Ｋ１  ＝ＲＤ３／ＲＤ２  …式（２）
【００３２】
本吸着力評価システムでは、上記吸着力評価方法におけると同様に、ＲＤ３演算手段をＫ１演算手段へ内包させることによって、所定量ＲＤ１及び残存量ＲＤ２を用いて上記式（１５）から、試料Ｓの揮発性有機化合物（Ａ）に対する吸着係数Ｋ１を求める手段とすることができる。
換言すれば、本吸着力評価システムは、試料Ｓが入れられるとともに、揮発性有機化合物（Ａ）に対応する同位体化合物（Ｂ）が所定量ＲＤ１添加された容器Ｌ内で、試料Ｓに移行せずに容器Ｌ内に残存された同位体化合物（Ｂ）の残存量をＲＤ２とした場合に、所定量（添加量）ＲＤ１と残存量ＲＤ２とを用いて、下記式（１５）から、前記試料Ｓの揮発性有機化合物（Ａ）に対する吸着係数Ｋ１を求めるＫ１演算手段、を備える吸着力評価システムとも言える。
Ｋ１＝（ＲＤ１−ＲＤ２）／ＲＤ２  …式（１５）
【００３３】
本吸着力評価システムにおける各演算は、図２に例示されるように、ＲＤ３演算手段による移行量ＲＤ３の演算（Ｓ１１）と、Ｋ１演算手段による吸着係数Ｋ１の演算（Ｓ１２）と、がこの順に行われる。具体的には、移行量ＲＤ３の演算（Ｓ１１）結果を用いて吸着係数Ｋ１の演算（Ｓ１２）が行われる。
【００３４】
本発明の吸着力評価方法及びそのシステムにおいて、上記試料Ｓは特に限定されず種々のものを用いることができる。例えば、試料Ｓの揮発性有機化合物（Ａ）に対する吸着性は特に限定されず、揮発性有機化合物（Ａ）を吸着できる試料（Ｋ＞０）でもよく、揮発性有機化合物（Ａ）を吸着しない試料（Ｋ＝０）でもよい。
具体的には、試料Ｓとして、多孔性部材、布部材、樹脂材、木材、鋼材、半固体材（グリス）などが挙げられる。このうち、多孔性部材としては、ウレタンフォーム、スラブ、木材、鉱石等が挙げられる。更に、布部材としては、織布、不織布が挙げられる。
【００３５】
また、上記揮発性有機化合物（Ａ）としては、トルエン、キシレン、ベンゼン、スチレン、エチルベンゼン、ホルムアルデヒド、アセトアルデヒド、アクロレイン、テトラデカン、フタル酸ジーｎ−ブチル、フタル酸ジー２−エチルヘキシル、アクリルアルデヒド、フェノブカルブ、パラジクロロベンゼン、クロルピリホス、ダイアジノン、ノナナール等が挙げられる。
【００３６】
更に、上記同位体化合物（Ｂ）としては、揮発性有機化合物（Ａ）の水素原子が重水素原子に置換された重水素化物、揮発性有機化合物（Ａ）の１２Ｃ炭素原子が１３Ｃ炭素原子及び／又は１４Ｃ炭素原子に置換された炭素同位体化合物等が挙げられる。具体的には、揮発性有機化合物（Ａ）がトルエンである場合、同位体化合物（Ｂ）としては、トルエン−α−１３Ｃ、トルエン−１−１３Ｃ、トルエン−４−１３Ｃ、トルエン−１３Ｃ６、トルエン−１３Ｃ７、トルエン−α，α，α−Ｄ３、トルエン−２，３，４，５，６−Ｄ５、トルエン−Ｄ８等が挙げられる。
尚、同位体化合物（Ｂ）は、実質的に揮発性有機化合物（Ａ）と同じ挙動を示し、且つ、評価の対象である試料Ｓ中に含有されない化合物である。
【００３７】
上記容器Ｌは、特に限定されず、気密性を維持できる袋状の容器や箱状の容器等を種々利用できる。その容積も特に限定されないが、通常、試料Ｓの体積（見掛け体積）よりも少なくとも１Ｌ以上大きな容積を有する容器が用いられる。
尚、容器Ｌの余剰部分に含まれる空気はそのまま利用してもよいが、不活性ガス（窒素ガス、アルゴンガス等）に置換して利用することもできる。即ち、不活性ガスに置換する場合には、本方法及びシステムでは、通常、容器Ｌ内に試料Ｓを投入し、容器Ｌ内の気体を不活性ガスに置換し、その後、添加量（所定量ＲＤ１）が既知である同位体化合物（Ｂ）が容器Ｌ内に投入されることとなる。
【００３８】
上記残存量ＲＤ２は、容器Ｌ内に、試料Ｓとともに投入された同位体化合物（Ｂ）のうち、試料Ｓに吸着されずに、容器Ｌ内に残存された量である。この残存量ＲＤ２は、容器Ｌ内の気体を採取し、その気体をガスクロマトグラフ質量分析（以下、単に「ＧＣ−ＭＳ」ともいう）に供することで測定される。即ち、試料Ｓ内から揮発性有機化合物（Ａ）が揮発されていたとしても、分子量が異なるために同位体化合物（Ｂ）のみの含有量を選択的に、正確に、測定することができる。
【００３９】
尚、容器Ｌ内に投入された同位体化合物（Ｂ）の試料Ｓへの吸着は、少なくとも温度や経過時間等によって変化し得るが、これらの条件は、適宜選択することが好ましい。即ち、投入後短時間における吸着量を評価したい場合には、短い所定時間経過後の容器Ｌ内の気体に残存された同位体化合物（Ｂ）の量を計測すればよく、投入後に十分に時間が経過されて平衡に達した状態における吸着量を評価したい場合には、平衡に達した後の容器Ｌ内の気体に残存された同位体化合物（Ｂ）の量を計測すればよい。温度についても同様に適宜の条件を設定して測定できる。
【００４０】
［２］含有量推測方法及びそのシステム
本発明の含有量推測方法（図３参照）は、試料における揮発性有機化合物（Ａ）の含有量を推測する方法である。この含有量推測方法は、上記の吸着力評価方法における吸着係数Ｋを利用して試料Ｓが潜在的に抱えている放出可能な揮発性有機化合物（Ａ）の量である含有量を推測する方法である。
【００４１】
この含有量ＲＨ３は以下のようにして推測される。即ち、まず、試料Ｓを入れた容器Ｌ内に、揮発性有機化合物（Ａ）に対応する同位体化合物（Ｂ）を所定量ＲＤ１添加した後に、試料Ｓに移行せずに容器Ｌ内に残存する同位体化合物（Ｂ）の残存量ＲＤ２と、容器内に揮発した揮発性有機化合物（Ａ）の揮発量ＲＨ１と、を定量する。
その後、上記吸着力評価方法と同様に、式（１）及び式（２）を利用して吸着係数Ｋ１を求める。更に、得られた吸着係数Ｋ１と、揮発量ＲＨ１と、下記式（３）と、を利用して、試料Ｓ内に残存されている揮発性有機化合物（Ａ）の量である残存量ＲＨ２を求め、次いで、得られた残存量ＲＨ２と、下記式（４）と、を利用して含有量ＲＨ３が求められる。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
【００４２】
これらのうちの式（１）及び式（２）は、前述のように、一括して下記式（１５）として演算することもできる。
Ｋ１＝（ＲＤ１−ＲＤ２）／ＲＤ２  …式（１５）
同様に、上記式（３）｛ＲＨ２＝Ｋ１−ＲＨ１｝及び上記式（４）｛ＲＨ３＝ＲＨ１＋ＲＨ２｝は、残存量ＲＨ２を求め、先に定量された揮発量ＲＨ１と加算値を含有量ＲＨ３として求めるための演算であり、これらの式は一括して下記式（１６）として演算することもできる。
ＲＨ３＝ＲＨ１×（Ｋ１＋１）  …式（１６）
【００４３】
更には、上記式（１５）と上記式（１６）とは、一括して下記式（１７）として演算することもできるとともに、下記式（１７）は、下記式（１８）と記載することもできる。
ＲＨ３＝ＲＨ１＋〔｛（ＲＤ１−ＲＤ２）／ＲＤ２｝×ＲＨ１〕  …式（１７）
ＲＨ３＝ＲＨ１×（ＲＤ１／ＲＤ２）  …式（１８）
【００４４】
一方、本発明の含有量推測システム（図４参照）は、試料における揮発性有機化合物（Ａ）の含有量を推測することができる含有量推測システムである。即ち、この含有量推測システムは、上記の吸着力評価方法における吸着係数Ｋを利用して試料Ｓが潜在的に抱えている放出可能な揮発性有機化合物（Ａ）の量である含有量を推測するシステムである。即ち、既知である所定量ＲＤ１の値と、前述のようにして測定される、残存量ＲＤ２の値及び揮発量ＲＨ１と、を利用して、上述の推測方法と同じ式（１）〜式（４）に対応する各演算手段を利用して、含有量ＲＨ３を算出できるシステムである。
【００４５】
具体的には、本含有量推測システムは、前記試料が入れられるとともに、揮発性有機化合物（Ａ）に対応する同位体化合物（Ｂ）が所定量ＲＤ１添加された容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
前記残存量ＲＤ２及び前記移行量ＲＤ３を用いて下記式（２）から、前記試料の揮発性有機化合物（Ａ）に対する吸着係数Ｋ１を求めるＫ１演算手段と、
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
前記揮発量ＲＨ１及び前記残存量ＲＨ２を用いて下記式（４）から、前記試料における揮発性有機化合物（Ａ）の含有量ＲＨ３を求めるＲＨ３演算手段と、を備える。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
【００４６】
上記のうち、ＲＤ３演算手段及びＫ１演算手段については、上記吸着力評価システムにおけると同様の手段である。また、ＲＤ３演算手段をＫ１演算手段へ内包させることによって、所定量ＲＤ１及び残存量ＲＤ２を用いて上記式（１５）から、試料Ｓの揮発性有機化合物（Ａ）に対する吸着係数Ｋ１を求める手段とすることもできる点において同様である。
【００４７】
また、ＲＨ２演算手段は、吸着係数Ｋ１及び揮発量ＲＨ１を用いて式（３）から、試料Ｓに残存する揮発性有機化合物（Ａ）の残存量ＲＨ２を求める手段である。
ＲＨ３演算手段は、揮発量ＲＨ１及び残存量ＲＨ２を用いて式（４）から、試料Ｓにおける揮発性有機化合物（Ａ）の含有量ＲＨ３を求める手段である。
これらのＲＨ３演算手段及びＲＨ２演算手段は、ＲＨ２演算手段を、ＲＨ３演算手段へ内包させることによって、吸着係数Ｋ１及び揮発量ＲＨ１を用いて式（１６）から、試料Ｓにおける揮発性有機化合物（Ａ）の含有量ＲＨ３を求める手段とすることもできる。
ＲＨ３＝ＲＨ１×（Ｋ１＋１）  …式（１６）
【００４８】
換言すれば、本含有量推測システムは、試料Ｓが入れられるとともに、揮発性有機化合物（Ａ）に対応する同位体化合物（Ｂ）が所定量ＲＤ１添加された容器Ｌ内で、試料Ｓに移行せずに容器Ｌ内に残存された同位体化合物（Ｂ）の残存量をＲＤ２とし、容器Ｌ内に揮発した揮発性有機化合物（Ａ）の揮発量をＲＨ１とした場合に、
所定量ＲＤ１及び残存量ＲＤ２を用いて下記式（１５）から、試料の揮発性有機化合物（Ａ）に対する吸着係数Ｋ１を求めるＫ１演算手段と、
Ｋ１＝（ＲＤ１−ＲＤ２）／ＲＤ２  …式（１５）
得られた吸着係数Ｋ１及び揮発量ＲＨ１を用いて下記式（１６）から、試料Ｓにおける揮発性有機化合物（Ａ）の含有量ＲＨ３を求めるＲＨ３演算手段と、を備える含有量推測システムとも言える。
ＲＨ３＝ＲＨ１×（Ｋ１＋１）  …式（１６）
【００４９】
更に換言すれば、本発明の含有量推測システムは、試料Ｓが入れられるとともに、揮発性有機化合物（Ａ）に対応する同位体化合物（Ｂ）が所定量ＲＤ１添加された容器Ｌ内で、試料Ｓに移行せずに容器Ｌ内に残存された同位体化合物（Ｂ）の残存量をＲＤ２とし、容器Ｌ内に揮発した揮発性有機化合物（Ａ）の揮発量をＲＨ１とした場合に、
下記式（１８）から試料Ｓにおける揮発性有機化合物（Ａ）の含有量ＲＨ３を求めるＲＨ３演算手段と、を備える含有量推測システムとも言える。
ＲＨ３＝ＲＨ１×（ＲＤ１／ＲＤ２）  …式（１８）
【００５０】
本含有量推測システムにおける各演算は、図４に例示されるように、ＲＤ３演算手段による移行量ＲＤ３の演算（Ｓ２１）、Ｋ１演算手段による吸着係数Ｋ１の演算（Ｓ２２）、ＲＨ２演算手段による残存量ＲＨ２の演算（Ｓ２３）、ＲＨ３演算手段による含有量ＲＨ３の演算（Ｓ２４）、がこの順に行われる。具体的には、移行量ＲＤ３の演算（Ｓ２１）結果を用いて吸着係数Ｋ１の演算（Ｓ２２）が行われ、吸着係数Ｋ１の演算（Ｓ２２）結果を用いて残存量ＲＨ２の演算（Ｓ２３）が行われ、残存量ＲＨ２の演算（Ｓ２３）結果を用いて、含有量ＲＨ３の演算が行われる（Ｓ２４）。
【００５１】
この含有量推測方法及びそのシステムで用いられる試料Ｓ及び容器Ｌについては、上記吸着力評価方法及びそのシステムにおける試料Ｓ及び容器Ｌと同様である。また、揮発性有機化合物（Ａ）及び同位体化合物（Ｂ）についても同様である。更に、上記残存量ＲＤ２についても、上記吸着力評価方法及びそのシステムにおける残存量ＲＤ２と同様である。
【００５２】
上記揮発量ＲＨ１は、容器Ｌ内に、投入された試料Ｓから、容器Ｌ内に揮発された揮発性有機化合物（Ａ）の量である。この揮発量ＲＨ１は、容器Ｌ内の気体を採取し、その気体をＧＣ−ＭＳなどに供することで測定される。
尚、容器Ｌ内に投入された試料Ｓからの揮発性有機化合物（Ａ）の揮発は、少なくとも温度や経過時間等によって変化し得るが、これらの条件は、適宜選択することが好ましい。即ち、投入後短時間における揮発量を用いたい場合には、短い所定時間経過後の容器Ｌ内の気体に含まれる揮発性有機化合物（Ａ）の量を計測すればよく、投入後に十分に時間が経過されて平衡に達した状態における揮発量を用いたい場合には、平衡に達した後の容器Ｌ内の気体に含まれる揮発性有機化合物（Ａ）の量を計測すればよい。温度についても同様に適宜の条件を設定して測定できる。
【００５３】
［３］揮発量推測方法及びそのシステム（請求項３及び請求項８）
請求項３に記載の揮発量推測方法（図５参照）は、所定容積Ｖ１で測定された試料Ｓの吸着係数Ｋ及び含有量ＲＨ３を用いて、異なる所定容積Ｖ２において試料Ｓから放出されるであろう揮発性有機化合物（Ａ）の揮発量ＲＧを推測する方法である。この方法では、所定容積Ｖ２における試料Ｓの特性を実測しなくとも、吸着力評価方法及び含有量推測方法によって評価及び推測される各値を利用することで、従来に比べてより正確に所定容積Ｖ２における揮発性有機化合物（Ａ）の揮発量を推測できる。
【００５４】
この揮発量は以下のようにして推測される。即ち、まず、試料Ｓを入れた所定容積Ｖ１の容器Ｌ内に、揮発性有機化合物（Ａ）に対応する同位体化合物（Ｂ）を所定量ＲＤ１添加した後に、試料Ｓに移行せずに容器Ｌ内に残存する同位体化合物（Ｂ）の残存量ＲＤ２と、容器内に揮発した揮発性有機化合物（Ａ）の揮発量ＲＨ１と、を定量する。
その後、上記吸着力評価方法と同様に、式（１）及び式（２）を利用して吸着係数Ｋ１を求める。更に、上記含有量推測方法と同様に、式（３）及び式（４）を利用して含有量ＲＨ３を求める。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
次いで、得られた所定容積Ｖ１における試料Ｓの吸着係数Ｋ１と、試料Ｓを入れた場合の揮発量ＲＧを求めることを目的とする所定容積Ｖ２の値と、を下記式（５）と、を利用して、試料Ｓを所定容積Ｖ２に入れた場合の揮発性有機化合物（Ａ）に対する吸着係数Ｋ２を求める。
Ｋ２＝Ｋ１×（Ｖ１／Ｖ２）  …式（５）
更に、得られた所定容積Ｖ２における試料Ｓの吸着係数Ｋ２と、試料Ｓにおける揮発性有機化合物（Ａ）の含有量ＲＨ３と、下記式（６）と、を利用して、所定容積Ｖ２において試料Ｓから放出される揮発性有機化合物（Ａ）の揮発量ＲＧが求められる。
ＲＧ＝ＲＨ３÷（１＋Ｋ２）  …式（６）
【００５５】
上記式（１）及び式（２）は、一括して下記式（１５）として演算でき、上記式（３）及び式（４）は、一括して下記式（１６）として演算することもできる。更に、下記式（１５）及び下記式（１６）は、一括して下記式（１８）として演算することができる。
Ｋ１＝（ＲＤ１−ＲＤ２）／ＲＤ２  …式（１５）
ＲＨ３＝ＲＨ１×（Ｋ１＋１）  …式（１６）
ＲＨ３＝ＲＨ１×（ＲＤ１／ＲＤ２）  …式（１８）
同様に、上記式（５）及び上記式（６）は、一括して、下記式（１９）として演算できる。
ＲＧ＝ＲＨ３÷〔１＋｛Ｋ１×（Ｖ１／Ｖ２）｝〕  …式（１９）
更に、上記式（１９）の吸着係数Ｋ１に上記式（１５）、含有量ＲＨ３に上記式（１６）を適用した場合には、１つの式で揮発量ＲＧを演算できる。
【００５６】
一方、請求項８の揮発量推測システム（図６参照）は、所定容積Ｖ１で測定された試料Ｓの吸着係数Ｋ及び含有量ＲＨ３を用いて、異なる所定容積Ｖ２において試料Ｓから放出されるであろう揮発性有機化合物（Ａ）の揮発量ＲＧを推測するシステムである。このシステムによれば、所定容積Ｖ２における試料Ｓの特性を実測しなくとも、吸着係数Ｋ及び含有量ＲＨ３を利用することで、従来に比べてより正確に所定容積Ｖ２における揮発性有機化合物（Ａ）の揮発量を推測できる。
【００５７】
即ち、本システムは、推定開始段階で既知の３つの値｛同位体化合物（Ｂ）の添加量ＲＤ１、所定容積Ｖ１、及び、所定容積Ｖ２｝と、所定容器Ｖ１の環境下で実測される２つの値｛同位体化合物（Ｂ）の残存量ＲＤ２及び揮発性化合物（Ａ）の揮発量ＲＨ１｝、の合計５つの値を利用して、上述の請求項３の揮発量推測方法と同じ式（１）〜式（６）に対応する各演算手段を利用して、揮発量ＲＧを算出できるシステムである。
【００５８】
具体的には、請求項８の揮発量推測システムは、前記試料が入れられるとともに、揮発性有機化合物（Ａ）に対応する同位体化合物（Ｂ）が所定量ＲＤ１添加された所定容積Ｖ１の容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
前記残存量ＲＤ２及び前記移行量ＲＤ３を用いて下記式（２）から、前記所定容積Ｖ１における前記試料の揮発性有機化合物（Ａ）に対する吸着係数Ｋ１を求めるＫ１演算手段と、
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
前記揮発量ＲＨ１及び前記残存量ＲＨ２を用いて下記式（４）から、前記試料における揮発性有機化合物（Ａ）の含有量ＲＨ３を求めるＲＨ３演算手段と、
前記吸着係数Ｋ１を用いて下記式（５）から、所定容積Ｖ２における前記試料の揮発性有機化合物（Ａ）に対する吸着係数Ｋ２を求めるＫ２演算手段と、
前記含有量ＲＨ３及び前記Ｋ２を用いて下記式（６）から、前記所定容積Ｖ２の容器内での前記揮発性有機化合物（Ａ）の揮発量ＲＧを求めるＲＧ演算手段と、を備える。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
Ｋ２＝Ｋ１×（Ｖ１／Ｖ２）  …式（５）
ＲＧ＝ＲＨ３÷（１＋Ｋ２）  …式（６）
【００５９】
上記のうち、ＲＤ３演算手段、Ｋ１演算手段、ＲＨ２演算手段、及び、ＲＨ３演算手段については、上記吸着力評価システム及び上記含有量推測システムにおけると同様の手段である。また、ＲＤ３演算手段をＫ１演算手段へ内包させて下記式（１５）から、試料Ｓの揮発性有機化合物（Ａ）に対する吸着係数Ｋ１を求める手段とすることもできる点において同様である。更に、ＲＨ２演算手段をＲＨ３演算手段へ内包させて下記式（１６）から、試料Ｓにおける揮発性有機化合物（Ａ）の含有量ＲＨ３を求める手段とすることもできる点において同様である。加えて、Ｋ１演算手段とＲＨ３演算手段とを一括して、同位体化合物（Ｂ）の添加量ＲＤ１、容器Ｌ内に残存された同位体化合物（Ｂ）の残存量ＲＤ２、試料Ｓから容器Ｌ内に揮発した揮発性有機化合物（Ａ）の揮発量ＲＨ１、を利用して、下記式（１８）から含有量ＲＨ３を求める手段とすることができる点においても同様である。
Ｋ１＝（ＲＤ１−ＲＤ２）／ＲＤ２  …式（１５）
ＲＨ３＝ＲＨ１×（Ｋ１＋１）  …式（１６）
ＲＨ３＝ＲＨ１×（ＲＤ１／ＲＤ２）  …式（１８）
【００６０】
また、Ｋ２演算手段は、吸着係数Ｋ１を用いて下記式（５）から、所定容積Ｖ２における試料Ｓの揮発性有機化合物（Ａ）に対する吸着係数Ｋ２を求める手段である。
Ｋ２＝Ｋ１×（Ｖ１／Ｖ２）  …式（５）
更に、ＲＧ演算手段は、含有量ＲＨ３及び吸着係数Ｋ２を用いて下記式（６）から、所定容積Ｖ２の容器Ｌ内での揮発性有機化合物（Ａ）の揮発量ＲＧを求める手段である。
ＲＧ＝ＲＨ３÷（１＋Ｋ２）  …式（６）
これらのＫ２演算手段及びＲＧ演算手段は、Ｋ２演算手段をＲＧ演算手段へ内包させることによって、吸着係数Ｋ１及び含有量ＲＨ３を用いて下記式（１９）から、所定容積Ｖ２における試料Ｓの揮発性有機化合物（Ａ）の揮発量ＲＧを求める手段とすることもできる。
ＲＧ＝ＲＨ３÷〔１＋｛Ｋ１×（Ｖ１／Ｖ２）｝〕  …式（１９）
【００６１】
換言すれば、請求項８の揮発量推測システムは、試料Ｓが入れられるとともに、揮発性有機化合物（Ａ）に対応する同位体化合物（Ｂ）が所定量ＲＤ１添加された所定容積Ｖ１の容器Ｌ内で、試料Ｓに移行せずに容器Ｌ内に残存された同位体化合物（Ｂ）の残存量をＲＤ２とし、容器Ｌ内に揮発した揮発性有機化合物（Ａ）の揮発量をＲＨ１とした場合に、
所定量ＲＤ１及び残存量ＲＤ２を用いて下記式（１５）から、試料の揮発性有機化合物（Ａ）に対する吸着係数Ｋ１を求めるＫ１演算手段と、
Ｋ１＝（ＲＤ１−ＲＤ２）／ＲＤ２  …式（１５）
得られた吸着係数Ｋ１及び揮発量ＲＨ１を用いて下記式（１６）から、試料Ｓにおける揮発性有機化合物（Ａ）の含有量ＲＨ３を求めるＲＨ３演算手段と、
ＲＨ３＝ＲＨ１×（Ｋ１＋１）  …式（１６）
得られた吸着係数Ｋ１及び含有量ＲＨ３を用いて下記式（１９）から、所定容積Ｖ２の容器Ｌ内での揮発性有機化合物（Ａ）の揮発量ＲＧを求めるＲＧ演算手段と、を備える揮発量推測システムとも言える。
ＲＧ＝ＲＨ３÷〔１＋｛Ｋ１×（Ｖ１／Ｖ２）｝〕  …式（１９）
【００６２】
請求項８の揮発量推測システムにおける各演算は、図６に例示されるように、ＲＤ３演算手段による移行量ＲＤ３の演算（Ｓ３１）、Ｋ１演算手段による吸着係数Ｋ１の演算（Ｓ３２）、ＲＨ２演算手段による残存量ＲＨ２の演算（Ｓ３３）、ＲＨ３演算手段による含有量ＲＨ３の演算（Ｓ３４）、Ｋ２演算手段による吸着係数Ｋ２の演算（Ｓ３５）、ＲＧ演算手段による揮発量ＲＧの演算（Ｓ３６）、をこの順に行うことができる。
具体的には、移行量ＲＤ３の演算（Ｓ３１）結果を用いて吸着係数Ｋ１の演算（Ｓ３２）が行われ、吸着係数Ｋ１の演算（Ｓ３２）結果を用いて残存量ＲＨ２の演算（Ｓ３３）が行われ、残存量ＲＨ２の演算（Ｓ３３）結果を用いて、含有量ＲＨ３の演算（Ｓ３４）が行われる。一方、吸着係数Ｋ１の演算（Ｓ３２）結果を用いて、吸着係数Ｋ２の演算（Ｓ３５）が行われる。その後、含有量ＲＨ３の演算（Ｓ３４）結果及び吸着係数Ｋ２の演算（Ｓ３５）結果を用いて、揮発量ＲＧの演算（Ｓ３６）が行われる。
従って、（Ｓ３１）→（Ｓ３２）→（Ｓ３３）→（Ｓ３４）→（Ｓ３５）→（Ｓ３６）の順で演算を行うことができる他、例えば、（Ｓ３１）→（Ｓ３２）→（Ｓ３５）→（Ｓ３３）→（Ｓ３４）→（Ｓ３６）の順で演算を行うこともできる。
【００６３】
この揮発量推測方法（請求項３）及びそのシステム（請求項８）で用いられる試料Ｓ及び容器Ｌについては、上記含有量推測方法及びそのシステムにおける試料Ｓ及び容器Ｌと同様である。また、揮発性有機化合物（Ａ）及び同位体化合物（Ｂ）についてもと同様である。更に、上記残存量ＲＤ２及び上記揮発量ＲＨ１についても、上記含有量推測方法及びそのシステムにおける残存量ＲＤ２及び揮発量ＲＨ１と同様である。
【００６４】
［４］揮発量推測方法及びそのシステム（請求項４及び請求項９）
請求項４に記載の揮発量推測方法（図７参照）は、１つの試料Ｓの吸着係数Ｋ及び含有量ＲＨ３を用いて、複数の試料Ｓを共存させた場合に、これら複数の試料Ｓから放出されるであろう揮発性有機化合物（Ａ）の揮発量ＲＧを推測する方法である。この方法では、試料Ｓを複数利用して、これらが同時に共存された状況での特性を実測しなくとも、吸着力評価方法及び含有量推測方法によって評価及び推測される各値を利用することで、従来に比べてより正確に複数個の試料Ｓから揮発される揮発性有機化合物（Ａ）の揮発量を推測できる。
【００６５】
この揮発量は以下のようにして推測される。即ち、まず、試料Ｓを入れた容器Ｌ内に、揮発性有機化合物（Ａ）に対応する同位体化合物（Ｂ）を所定量ＲＤ１添加した後に、試料Ｓに移行せずに容器Ｌ内に残存する同位体化合物（Ｂ）の残存量ＲＤ２と、容器内に揮発した揮発性有機化合物（Ａ）の揮発量ＲＨ１と、を定量する。
その後、上記吸着力評価方法と同様に、式（１）及び式（２）を利用して吸着係数Ｋ１を求める。更に、上記含有量推測方法と同様に、式（３）及び式（４）を利用して含有量ＲＨ３を求める。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
次いで、得られた試料Ｓの吸着係数Ｋ１と下記式（７）とを利用して、ｎ個分の試料Ｓの揮発性有機化合物（Ａ）に対する吸着係数Ｋ３を求める。
Ｋ３＝Ｋ１×ｎ  …式（７）
更に、１個の試料Ｓにおける揮発性有機化合物（Ａ）の含有量ＲＨ３と下記式（８）とを利用して、ｎ個分の試料Ｓにおける揮発性有機化合物（Ａ）の含有量ＲＨ５を求める。
ＲＨ５＝ＲＨ３×ｎ  …式（８）
その後、得られた吸着係数Ｋ３と含有量ＲＨ５と下記式（９）とを利用して、ｎ個分の試料Ｓを容器内に入れた場合の揮発量ＲＧが求められる。
ＲＧ＝ＲＨ５÷（１＋Ｋ３）  …式（９）
【００６６】
上記式（１）及び式（２）は、一括して下記式（１５）として演算でき、上記式（３）及び式（４）は、一括して下記式（１６）として演算することが、更に、下記式（１５）及び下記式（１６）は、一括して下記式（１８）として演算できることは前述の通りである。
Ｋ１＝（ＲＤ１−ＲＤ２）／ＲＤ２  …式（１５）
ＲＨ３＝ＲＨ１×（Ｋ１＋１）  …式（１６）
ＲＨ３＝ＲＨ１×（ＲＤ１／ＲＤ２）  …式（１８）
同様に、上記式（７）、上記式（８）及び上記式（９）は、一括して、下記式（２０）として演算できる。
ＲＧ＝（ＲＨ３×ｎ）÷｛１＋（Ｋ１×ｎ）｝  …式（２０）
更に、上記式（２０）の吸着係数Ｋ１に上記式（１５）、含有量ＲＨ３に上記式（１６）を適用した場合には、１つの式で揮発量ＲＧを演算できる。
【００６７】
一方、請求項９の揮発量推測システム（図８参照）は、１つの試料Ｓの吸着係数Ｋ及び含有量ＲＨ３を用いて、複数の試料Ｓを共存させた場合に、これら複数の試料Ｓから放出されるであろう揮発性有機化合物（Ａ）の揮発量ＲＧを推測するシステムである。このシステムによれば、試料Ｓを複数利用して、これらが同時に共存された状況での特性を実測しなくとも、吸着係数Ｋ及び含有量ＲＨ３を利用することで、従来に比べてより正確に複数個の試料Ｓから揮発される揮発性有機化合物（Ａ）の揮発量を推測できる。
【００６８】
即ち、本システムは、同位体化合物（Ｂ）の添加量ＲＤ１と、同位体化合物（Ｂ）の残存量ＲＤ２と、揮発性化合物（Ａ）の揮発量ＲＨ１、の３つの値を利用して、上述の請求項４の揮発量推測方法と同じ式（１）〜式（４）及び式（７）〜式（９）に対応する各演算手段を利用して、揮発量ＲＧを算出できるシステムである。
【００６９】
具体的には、請求項９の揮発量推測システムは、前記試料が入れられるとともに、揮発性有機化合物（Ａ）に対応する同位体化合物（Ｂ）が所定量ＲＤ１添加された所定容積Ｖ１の容器内で、前記試料に移行せずに前記容器内に残存された同位体化合物（Ｂ）の残存量をＲＤ２とし、前記容器内に揮発した揮発性有機化合物（Ａ）の揮発量をＲＨ１とした場合に、
前記残存量ＲＤ２用いて下記式（１）から、前記試料に移行した同位体化合物（Ｂ）の移行量ＲＤ３を求めるＲＤ３演算手段と、
前記残存量ＲＤ２及び前記移行量ＲＤ３を用いて下記式（２）から、前記所定容積Ｖ１における前記試料の揮発性有機化合物（Ａ）に対する吸着係数Ｋ１を求めるＫ１演算手段と、
前記吸着係数Ｋ１及び前記揮発量ＲＨ１を用いて下記式（３）から、前記試料に残存する揮発性有機化合物（Ａ）の残存量ＲＨ２を求めるＲＨ２演算手段と、
前記揮発量ＲＨ１及び前記残存量ＲＨ２を用いて下記式（４）から、前記試料における揮発性有機化合物（Ａ）の含有量ＲＨ３を求めるＲＨ３演算手段と、
前記吸着係数Ｋ１を用いて下記式（７）から、前記試料ｎ個の揮発性有機化合物（Ａ）に対する吸着係数Ｋ３を求めるＫ３演算手段と、
前記含有量ＲＨ３を用いて下記式（８）から、前記試料ｎ個における揮発性有機化合物（Ａ）の含有量ＲＨ５を求めるＲＨ５演算手段と、
前記吸着係数Ｋ３及び前記含有量ＲＨ５を用いて下記式（９）から、前記試料ｎ個の容器内における揮発性有機化合物（Ａ）の揮発量ＲＧを求めるＲＧ演算手段と、を備える。
ＲＤ３＝ＲＤ１−ＲＤ２  …式（１）
Ｋ１  ＝ＲＤ３／ＲＤ２  …式（２）
ＲＨ２＝Ｋ１  ×ＲＨ１  …式（３）
ＲＨ３＝ＲＨ１＋ＲＨ２  …式（４）
Ｋ３＝Ｋ１×ｎ  …式（７）
ＲＨ５＝ＲＨ３×ｎ  …式（８）
ＲＧ＝ＲＨ５÷（１＋Ｋ３）  …式（９）
【００７０】
上記のうち、ＲＤ３演算手段、Ｋ１演算手段、ＲＨ２演算手段、及び、ＲＨ３演算手段については、上記吸着力評価システム及び上記含有量推測システムにおけると同様の手段である。また、ＲＤ３演算手段をＫ１演算手段へ内包させて下記式（１５）から、試料Ｓの揮発性有機化合物（Ａ）に対する吸着係数Ｋ１を求める手段とすることもできる点において同様である。更に、ＲＨ２演算手段をＲＨ３演算手段へ内包させて下記式（１６）から、試料Ｓにおける揮発性有機化合物（Ａ）の含有量ＲＨ３を求める手段とすることもできる点において同様である。加えて、Ｋ１演算手段とＲＨ３演算手段とを一括して、同位体化合物（Ｂ）の添加量ＲＤ１、容器Ｌ内に残存された同位体化合物（Ｂ）の残存量ＲＤ２、試料Ｓから容器Ｌ内に揮発した揮発性有機化合物（Ａ）の揮発量ＲＨ１、を利用して、下記式（１８）から含有量ＲＨ３を求める手段とすることができる点においても同様である。
Ｋ１＝（ＲＤ１−ＲＤ２）／ＲＤ２  …式（１５）
ＲＨ３＝ＲＨ１×（Ｋ１＋１）  …式（１６）
ＲＨ３＝ＲＨ１×（ＲＤ１／ＲＤ２）  …式（１８）
【００７１】
また、Ｋ３演算手段、ＲＨ５演算手段、及び、ＲＧ演算手段は、Ｋ３演算手段及びＲＨ５演算手段は、ＲＧ演算手段へ内包させることによって、吸着係数Ｋ１及び含有量ＲＨ３を用いて下記式（２０）から、ｎ個分の試料Ｓの揮発性有機化合物（Ａ）の揮発量ＲＧを求める手段とすることもできる。
ＲＧ＝（ＲＨ３×ｎ）÷｛１＋（Ｋ１×ｎ）｝  …式（２０）
【００７２】
換言すれば、請求項９の揮発量推測システムは、１個の試料Ｓが入れられるとともに、揮発性有機化合物（Ａ）に対応する同位体化合物（Ｂ）が所定量ＲＤ１添加された容器Ｌ内で、試料Ｓに移行せずに容器Ｌ内に残存された同位体化合物（Ｂ）の残存量をＲＤ２とし、容器Ｌ内に揮発した揮発性有機化合物（Ａ）の揮発量をＲＨ１とした場合に、
所定量ＲＤ１及び残存量ＲＤ２を用いて下記式（１５）から、１個の試料Ｓの揮発性有機化合物（Ａ）に対する吸着係数Ｋ１を求めるＫ１演算手段と、
Ｋ１＝（ＲＤ１−ＲＤ２）／ＲＤ２  …式（１５）
得られた吸着係数Ｋ１及び揮発量ＲＨ１を用いて下記式（１６）から、１個の試料Ｓにおける揮発性有機化合物（Ａ）の含有量ＲＨ３を求めるＲＨ３演算手段と、
ＲＨ３＝ＲＨ１×（Ｋ１＋１）  …式（１６）
得られた吸着係数Ｋ１及び含有量ＲＨ３を用いて下記式（２０）から、容器Ｌ内でｎ個分の試料Ｓから揮発される揮発性有機化合物（Ａ）の揮発量ＲＧを求めるＲＧ演算手段と、を備える揮発量推測システムとも言える。
ＲＧ＝（ＲＨ３×ｎ）÷｛１＋（Ｋ１×ｎ）｝  …式（２０）
【００７３】
請求項９の揮発量推測システムにおける各演算は、図８に例示されるように、ＲＤ３演算手段による移行量ＲＤ３の演算（Ｓ４１）、Ｋ１演算手段による吸着係数Ｋ１の演算（Ｓ４２）、ＲＨ２演算手段による残存量ＲＨ２の演算（Ｓ４３）、ＲＨ３演算手段による含有量ＲＨ３の演算（Ｓ４４）、Ｋ３演算手段による吸着係数Ｋ３の演算（Ｓ４５）、ＲＨ５演算手段による含有量ＲＨ５の演算（Ｓ４６）、ＲＧ演算手段による揮発量ＲＧの演算（Ｓ４７）、をこの順に行うことができる。
【００７４】
具体的には、移行量ＲＤ３の演算（Ｓ４１）結果を用いて吸着係数Ｋ１の演算（Ｓ４２）が行われ、吸着係数Ｋ１の演算（Ｓ４２）結果を用いて残存量ＲＨ２の演算（Ｓ４３）が行われ、残存量ＲＨ２の演算（Ｓ４３）結果を用いて、含有量ＲＨ３の演算（Ｓ４４）が行われる。一方、吸着係数Ｋ１の演算（Ｓ４２）結果を用いて、吸着係数Ｋ３の演算（Ｓ４５）が行われる。更に他方、含有量ＲＨ３の演算（Ｓ４４）結果を用いて、含有量ＲＨ５の演算（Ｓ４６）が行われる。その後、吸着係数Ｋ３の演算（Ｓ４５）結果及び含有量ＲＨ５の演算（Ｓ４６）結果を用いて、揮発量ＲＧの演算（Ｓ４７）が行われる。
従って、（Ｓ４１）→（Ｓ４２）→（Ｓ４３）→（Ｓ４４）→（Ｓ４５）→（Ｓ４６）→（Ｓ４７）の順で演算を行うことができる他、例えば、（Ｓ４１）→（Ｓ４２）→（Ｓ４５）→（Ｓ４３）→（Ｓ４４）→（Ｓ４６）→（Ｓ４７）の順で演算を行うこともできる。
【００７５】
この揮発量推測方法（請求項４）及びそのシステム（請求項９）で用いられる試料Ｓ及び容器Ｌについては、上記含有量推測方法及びそのシステムにおける試料Ｓ及び容器Ｌと同様である。また、揮発性有機化合物（Ａ）及び同位体化合物（Ｂ）についてもと同様である。更に、上記残存量ＲＤ２及び上記揮発量ＲＨ１についても、上記含有量推測方法及びそのシステムにおける残存量ＲＤ２及び揮発量ＲＨ１と同様である。
【００７６】
［５］揮発量推測方法及びそのシステム（請求項５及び請求項１０）
請求項５に記載の揮発量推測方法（図９参照）は、試料Ｓ１の吸着係数Ｋ１１及び含有量ＲＨ３１、試料Ｓ２の吸着係数Ｋ１２及び含有量ＲＨ３２、試料Ｓ３の吸着係数Ｋ１３及び含有量ＲＨ３３、．．．．．試料Ｓｍの吸着係数Ｋ１ｍ及び含有量ＲＨ３ｍ、を用いて、これら試料Ｓ１をＹ１個、試料Ｓ２をＹ２個、試料Ｓ３をＹ３個、．．．．．試料ＳｍをＹｍ個、を所定容積Ｖｅｓｔの容器Ｌ内に共存させた場合に、これら複数の試料Ｓから放出されるであろう揮発性有機化合物（Ａ）の合計の揮発量Ｒａｌｌを推測する方法である。
即ち、１つの各試料Ｓｍの吸着係数Ｋ１ｍ及び含有量ＲＨ３ｍを用いて、異なるＹｍ個の試料Ｓｍを共存させた場合に、これらの試料Ｓｍから放出されるであろう揮発性有機化合物（Ａ）の合計の揮発量ＲＧを推測できる方法である。この方法では、異なる試料Ｓ（Ｓ１〜Ｓｍ）の各特性（残存量ＲＤ２ｍ及び揮発量ＲＨ１ｍ）を各々所望の環境で個別に測定し、その結果を用いて、試料Ｓ全てを所定容積Ｖｅｓｔの容器Ｌ内に共存させた場合の揮発量Ｒａｌｌを推測できる。従って、各試料Ｓの個別の特性の測定数を抑えながら、吸着力評価方法及び含有量推測方法を利用することによって、従来に比べてより正確に容器Ｌ内の揮発性有機化合物（Ａ）の揮発量を推測できる。
【００７７】
この揮発量は以下のようにして推測される。即ち、まず、試料Ｓ１を入れた所定容積Ｖ１の容器Ｌ内に、揮発性有機化合物（Ａ）に対応する同位体化合物（Ｂ）を所定量ＲＤ１１添加した後に、試料Ｓ１に移行せずに容器Ｌ内に残存する同位体化合物（Ｂ）の残存量ＲＤ２１と、容器内に揮発した揮発性有機化合物（Ａ）の揮発量ＲＨ１１と、を定量する。
その後、上記吸着力評価方法と同様に、式（１）及び式（２）を利用して吸着係数Ｋ１１を求める。更に、上記含有量推測方法と同様に、式（３）及び式（４）を利用して含有量ＲＨ３１を求める。
ＲＤ３１＝ＲＤ１１−ＲＤ２１  …式（１）
Ｋ１１  ＝ＲＤ３１／ＲＤ２１  …式（２）
ＲＨ２１＝Ｋ１１  ×ＲＨ１１  …式（３）
ＲＨ３１＝ＲＨ１１＋ＲＨ２１  …式（４）
【００７８】
同様に、試料Ｓｍ（ｍ＝２以上の整数）を入れた所定容積Ｖｍの容器Ｌ内に、揮発性有機化合物（Ａ）に対応する同位体化合物（Ｂ）を所定量ＲＤ１ｍ添加した後に、試料Ｓｍに移行せずに容器Ｌ内に残存する同位体化合物（Ｂ）の残存量ＲＤ２ｍと、容器内に揮発した揮発性有機化合物（Ａ）の揮発量ＲＨ１ｍと、を定量する。その後、上記吸着力評価方法と同様に、式（１）及び式（２）を利用して吸着係数Ｋ１ｍを求める。更に、上記含有量推測方法と同様に、式（３）及び式（４）を利用して含有量ＲＨ３ｍを求める。
ＲＤ３ｍ＝ＲＤ１ｍ−ＲＤ２ｍ  …式（１）
Ｋ１ｍ  ＝ＲＤ３ｍ／ＲＤ２ｍ  …式（２）
ＲＨ２ｍ＝Ｋ１ｍ  ×ＲＨ１ｍ  …式（３）
ＲＨ３ｍ＝ＲＨ１ｍ＋ＲＨ２ｍ  …式（４）
【００７９】
次いで、各試料Ｓｍ（但し、ｍは１以上の整数）をそれぞれＹｍ個、所定容積Ｖｅｓｔの容器内に入れた場合の揮発量ＲＧを推測するために、
各試料Ｓｍ（但し、ｍは１以上の整数）の揮発性有機化合物（Ａ）に対する吸着係数Ｋ１ｍに各試料の個数Ｙｍを乗じて、更にＶｍ／Ｖｅｓｔの値を乗じた値の合計値である吸着係数Ｋａｌｌを下記式（１１）から求める。更に、各試料の含有量ＲＨ３ｍに各試料の個数Ｙｍを乗じた値の合計値である含有量Ｒａｌｌを下記式（１２）から求める。
Ｋall＝｛Ｋ11×Ｙ1（Ｖ1／Ｖest）｝＋｛Ｋ12×Ｙ2（Ｖ2／Ｖest）｝＋
・・・＋｛Ｋ1m×Ｙm（Ｖm／Ｖest）｝  …式（１１）
Ｒall＝（ＲH31×Ｙ1）＋（ＲH32×Ｙ2）＋・・・＋（ＲH3m×Ｙm）  …式（１２）
その後、得られた吸着係数Ｋａｌｌと合計含有量Ｒａｌｌと下記式（１０）とを利用して、所定容積Ｖｅｓｔの容器Ｌ内での全ての試料Ｓから揮発される揮発性有機化合物（Ａ）の揮発量ＲＧが求められる。
ＲＧ＝Ｒａｌｌ÷（１＋Ｋａｌｌ）  …式（１０）
【００８０】
このうち、上記式（１１）は、前述のように、所定容積Ｖ１における吸着係数Ｋ１から、所定容積Ｖ２における吸着係数Ｋ２を求めるために下記式（５）を利用できること、及び、１個の試料Ｓの揮発性有機化合物（Ａ）に対する吸着係数Ｋ１から、ｎ個分の試料Ｓの揮発性有機化合物（Ａ）に対する吸着係数Ｋ３を求めるために下記式（７）を利用できること、を応用したものである。
Ｋ２＝Ｋ１×（Ｖ１／Ｖ２）  …式（５）
Ｋ３＝Ｋ１×ｎ  …式（７）
また、上記式（１２）は、前述のように、１個の試料Ｓに含まれる揮発性有機化合物（Ａ）である含有量ＲＨ３から、ｎ個分の試料Ｓに含まれる揮発性有機化合物（Ａ）である含有量ＲＨ５を求めるために下記式（８）を利用できることを応用したものである。
ＲＨ５＝ＲＨ３×ｎ  …式（８）
【００８１】
上記式（１）及び式（２）は、一括して下記式（１５）として演算でき、上記式（３）及び式（４）は、一括して下記式（１６）として演算することが、更に、下記式（１５）及び下記式（１６）は、一括して下記式（１８）として演算できることは前述の通りである。
Ｋ１ｍ＝（ＲＤ１ｍ−ＲＤ２ｍ）／ＲＤ２ｍ  …式（１５）
ＲＨ３ｍ＝ＲＨ１ｍ×（Ｋ１ｍ＋１）  …式（１６）
ＲＨ３ｍ＝ＲＨ１ｍ×（ＲＤ１ｍ／ＲＤ２ｍ）  …式（１８）
更には、上記式（１１）の各Ｋ１ｍに対応する式（１５）が代入された１つの式Ａによって吸着係数Ｋａｌｌを演算することもできる。同様に、上記式（１２）の各ＲＨ３ｍに対応する式（１６）が代入された式Ｂによって合計含有量Ｒａｌｌを演算することもできる。また、上記式（１０）の吸着係数Ｋａｌｌに上記式Ａを、上記式（１０）の合計含有量Ｒａｌｌに上記式Ｂを、各々代入した１つの式Ｃによって揮発量ＲＧを演算することもできる。
【００８２】
一方、請求項１０の揮発量推測システム（図１０参照）は、１つの各試料Ｓｍの吸着係数Ｋ１ｍ及び含有量ＲＨ３ｍを用いて、異なるＹｍ個の試料Ｓｍを共存させた場合に、これらの試料Ｓｍから放出されるであろう揮発性有機化合物（Ａ）の合計の揮発量ＲＧを推測するシステムである。このシステムによれば、異なる試料Ｓ（Ｓ１〜Ｓｍ）の各特性（残存量ＲＤ２ｍ及び揮発量ＲＨ１ｍ）を各々所望の環境で個別に測定し、その結果を用いて、試料Ｓ全てを所定容積Ｖｅｓｔの容器Ｌ内に共存させた場合の揮発量Ｒａｌｌを推測できる。従って、各試料Ｓの個別の特性の測定数を抑えながら、吸着係数Ｋ１ｍ及び含有量ＲＨ３ｍを利用することによって、従来に比べてより正確に容器Ｌ内の揮発性有機化合物（Ａ）の揮発量を推測できる。
【００８３】
即ち、本システムは、実測時の各所定容積Ｖｍ、同位体化合物（Ｂ）の各添加量ＲＤ１ｍ、同位体化合物（Ｂ）の各残存量ＲＤ２ｍ、揮発性化合物（Ａ）の揮発量ＲＨ１ｍ、の４つの値を利用して、上述の請求項３及び請求項４の揮発量推測方法と同じ式（１）〜式（９）に対応する各演算手段を利用して、揮発量ＲＧを算出できるシステムである。
【００８４】
具体的には、請求項１０の揮発量推測システムは、試料Ｓ１が入れられるとともに、揮発性有機化合物（Ａ）に対応する同位体化合物（Ｂ）が所定量ＲＤ１１添加された所定容積Ｖ１の容器内で、前記試料Ｓ１に移行せずに前記容器内に残存された同位体化合物（Ｂ）の残存量をＲＤ２１とし、前記容器内に揮発した揮発性有機化合物（Ａ）の揮発量をＲＨ１１とした場合に、
前記残存量ＲＤ２１用いて下記式（１）から、前記試料Ｓ１に移行した同位体化合物（Ｂ）の移行量ＲＤ３１を求めるＲＤ３１演算手段と、
前記残存量ＲＤ２１及び前記移行量ＲＤ３１を用いて下記式（２）から、前記所定容積Ｖ１における前記試料Ｓ１の揮発性有機化合物（Ａ）に対する吸着係数Ｋ１１を求めるＫ１１演算手段と、
前記吸着係数Ｋ１１及び前記揮発量ＲＨ１１を用いて下記式（３）から、前記試料Ｓ１に残存する揮発性有機化合物（Ａ）の残存量ＲＨ２１を求めるＲＨ２１演算手段と、
前記揮発量ＲＨ１１及び前記残存量ＲＨ２１を用いて下記式（４）から、前記試料Ｓ１における揮発性有機化合物（Ａ）の含有量ＲＨ３１を求めるＲＨ３１演算手段と、
上記と同様に、所定容積Ｖｍの容器を用いた場合の各試料Ｓｍ（但し、ｍは２以上の整数）における同位体化合物（Ｂ）の移行量ＲＤ３ｍを求めるＲＤ３ｍ演算手段と、揮発性有機化合物（Ａ）に対するＫ１ｍを求めるＫ１ｍ演算手段と、揮発性有機化合物（Ａ）の残存量ＲＨ２ｍを求めるＲＨ２ｍ演算手段と、揮発性有機化合物（Ａ）の含有量ＲＨ３ｍを求めるＲＨ３ｍ演算手段と、
前記各試料Ｓｍ（但し、ｍは１以上の整数）をそれぞれＹｍ個、所定容積Ｖｅｓｔの容器内に入れた場合の揮発量ＲＧを推測するために、
各試料Ｓｍ（但し、ｍは１以上の整数）の揮発性有機化合物（Ａ）に対する吸着係数Ｋ１ｍに各試料の個数Ｙｍを乗じて、更にＶｍ／Ｖｅｓｔの値を乗じた値の合計値である吸着係数Ｋａｌｌを求めるＫａｌｌ演算手段と、
各試料の含有量ＲＨ３ｍに各試料の個数Ｙｍを乗じた値の合計値である含有量Ｒａｌｌを求めるＲａｌｌ演算手段と、
前記吸着係数Ｋａｌｌ及び前記含有量Ｒａｌｌを用いて下記式（１０）から、所定容積Ｖｅｓｔの容器内での揮発量ＲＧを求めるＲＧ演算手段と、を備える。
ＲＤ３１＝ＲＤ１１−ＲＤ２１  …式（１）
Ｋ１１  ＝ＲＤ３１／ＲＤ２１  …式（２）
ＲＨ２１＝Ｋ１１  ×ＲＨ１１  …式（３）
ＲＨ３１＝ＲＨ１１＋ＲＨ２１  …式（４）
ＲＧ＝Ｒall÷（１＋Ｋall）  …式（１０）
【００８５】
上記のうち、ＲＤ３ｍ演算手段は、ＲＤ３１演算手段、ＲＤ３２演算手段、．．．．ＲＤ３ｍ演算手段等の、ｍ数（ｍ＝１以上の整数）に対応した各演算を個別に行うことができる複数の演算手段を含む手段である。Ｋ１ｍ演算手段、ＲＨ２ｍ演算手段、及び、ＲＨ３ｍ演算手段についても同様に各々複数の演算手段を含む手段である。
【００８６】
ＲＤ３ｍ演算手段は、残存量ＲＤ２ｍ用いて下記式（１）から、試料Ｓ１に移行した同位体化合物（Ｂ）の移行量ＲＤ３ｍを求める手段である。
ＲＤ３ｍ＝ＲＤ１ｍ−ＲＤ２ｍ  …式（１）
Ｋ１ｍ演算手段は、残存量ＲＤ２ｍ及び移行量ＲＤ３ｍを用いて下記式（２）から、所定容積Ｖ１における試料Ｓ１の揮発性有機化合物（Ａ）に対する吸着係数Ｋ１ｍを求める手段である。
Ｋ１ｍ＝ＲＤ３ｍ／ＲＤ２ｍ  …式（２）
ＲＨ２ｍ演算手段は、吸着係数Ｋ１ｍ及び揮発量ＲＨ１ｍを用いて下記式（３）から、試料Ｓ１に残存する揮発性有機化合物（Ａ）の残存量ＲＨ２ｍを求める手段である。
ＲＨ２ｍ＝Ｋ１ｍ×ＲＨ１ｍ  …式（３）
ＲＨ３ｍ演算手段は、揮発量ＲＨ１ｍ及び残存量ＲＨ２ｍを用いて下記式（４）から、試料Ｓ１における揮発性有機化合物（Ａ）の含有量ＲＨ３ｍを求める手段である。
ＲＨ３ｍ＝ＲＨ１ｍ＋ＲＨ２ｍ  …式（４）
【００８７】
即ち、ＲＤｍ演算手段、Ｋ１ｍ演算手段、ＲＨ２ｍ演算手段、及び、ＲＨ３ｍ演算手段については、上記吸着力評価システム及び上記含有量推測システムにおけると同様の手段である。また、ＲＤ３ｍ演算手段をＫ１ｍ演算手段へ内包させて下記式（１５）から、試料Ｓｍの揮発性有機化合物（Ａ）に対する吸着係数Ｋ１ｍを求める手段とすることもできる点において同様である。更に、ＲＨ２ｍ演算手段をＲＨ３ｍ演算手段へ内包させて下記式（１６）から、試料Ｓｍにおける揮発性有機化合物（Ａ）の含有量ＲＨ３ｍを求める手段とすることもできる点において同様である。加えて、Ｋ１ｍ演算手段とＲＨ３ｍ演算手段とを一括して、同位体化合物（Ｂ）の添加量ＲＤ１ｍ、容器Ｌ内に残存された同位体化合物（Ｂ）の残存量ＲＤ２ｍ、試料Ｓｍから容器Ｌ内に揮発した揮発性有機化合物（Ａ）の揮発量ＲＨ１ｍ、を利用して、下記式（１８）から含有量ＲＨ３ｍを求める手段とすることができる点においても同様である。
Ｋ１ｍ＝（ＲＤ１ｍ−ＲＤ２ｍ）／ＲＤ２ｍ  …式（１５）
ＲＨ３ｍ＝ＲＨ１ｍ×（Ｋ１ｍ＋１）  …式（１６）
ＲＨ３ｍ＝ＲＨ１ｍ×（ＲＤ１ｍ／ＲＤ２ｍ）  …式（１８）
【００８８】
Ｋａｌｌ演算手段は、各試料Ｓｍ（但し、ｍは１以上の整数）の揮発性有機化合物（Ａ）に対する吸着係数Ｋ１ｍに各試料の個数Ｙｍを乗じて、更にＶｍ／Ｖｅｓｔの値を乗じた値の合計値である吸着係数Ｋａｌｌを下記式（１１）から求める手段である。
Ｋall＝｛Ｋ11×Ｙ1（Ｖ1／Ｖest）｝＋｛Ｋ12×Ｙ2（Ｖ2／Ｖest）｝＋
・・・＋｛Ｋ1m×Ｙm（Ｖm／Ｖest）｝  …式（１１）
このＫａｌｌ演算手段は、所定容積Ｖ１における吸着係数Ｋ１から、所定容積Ｖ２における吸着係数Ｋ２を求めるために下記式（５）を利用したＫ２演算手段、及び、１個の試料Ｓの揮発性有機化合物（Ａ）に対する吸着係数Ｋ１から、ｎ個分の試料Ｓの揮発性有機化合物（Ａ）に対する吸着係数Ｋ３を求めるために下記式（７）を利用したＫ３演算手段、を各々利用できることを応用した手段である。
Ｋ２＝Ｋ１×（Ｖ１／Ｖ２）  …式（５）
Ｋ３＝Ｋ１×ｎ  …式（７）
【００８９】
Ｒａｌｌ演算手段は、各試料の含有量ＲＨ３ｍに各試料の個数Ｙｍを乗じた値の合計値である含有量Ｒａｌｌを下記式（１２）から求める手段である。
Ｒall＝（ＲH31×Ｙ1）＋（ＲH32×Ｙ2）＋・・・＋（ＲH3m×Ｙm）  …式（１２）
このＲａｌｌ演算手段は、１個の試料Ｓに含まれる揮発性有機化合物（Ａ）である含有量ＲＨ３から、ｎ個分の試料Ｓに含まれる揮発性有機化合物（Ａ）である含有量ＲＨ５を求めるために下記式（８）を利用したＲＨ５演算手段を利用できることを応用した手段である。
ＲＨ５＝ＲＨ３×ｎ  …式（８）
【００９０】
換言すれば、請求項１０の揮発量推測システムは、１個の試料Ｓｍ（但し、ｍ＝１以上の整数）が所定容積Ｖｍの容器Ｌに入れられるとともに、揮発性有機化合物（Ａ）に対応する同位体化合物（Ｂ）が所定量ＲＤ１ｍ添加された容器Ｌ内で、試料Ｓｍに移行せずに容器Ｌ内に残存された同位体化合物（Ｂ）の残存量をＲＤ２ｍとし、容器Ｌ内に揮発した揮発性有機化合物（Ａ）の揮発量をＲＨ１ｍとした場合に、
所定量ＲＤ１ｍ及び残存量ＲＤ２ｍを用いて下記式（１５）から、１個の試料Ｓｍの揮発性有機化合物（Ａ）に対する吸着係数Ｋ１ｍを求めるＫ１ｍ演算手段と、
Ｋ１ｍ＝（ＲＤ１ｍ−ＲＤ２ｍ）／ＲＤ２ｍ  …式（１５）
得られた吸着係数Ｋ１ｍ及び揮発量ＲＨ１ｍを用いて下記式（１６）から、１個の試料Ｓｍにおける揮発性有機化合物（Ａ）の含有量ＲＨ３ｍを求めるＲＨ３ｍ演算手段と、
ＲＨ３ｍ＝ＲＨ１ｍ×（Ｋ１ｍ＋１）  …式（１６）
得られた吸着係数Ｋ１ｍと、各試料の個数Ｙｍと、各所定容積Ｖｍと、目的とする所定容積Ｖｅｓｔと、を用いて下記式（１１）から吸着係数Ｋａｌｌを求めるＫａｌｌ演算手段と、
Ｋall＝｛Ｋ11×Ｙ1（Ｖ1／Ｖest）｝＋｛Ｋ12×Ｙ2（Ｖ2／Ｖest）｝＋
・・・＋｛Ｋ1m×Ｙm（Ｖm／Ｖest）｝  …式（１１）
得られた含有量ＲＨ３ｍと、各試料の個数Ｙｍと、を用いて下記式（１２）から合計含有量Ｒａｌｌを求めるＲａｌｌ演算手段と、
Ｒall＝（ＲH31×Ｙ1）＋（ＲH32×Ｙ2）＋・・・＋（ＲH3m×Ｙm）  …式（１２）
得られた吸着係数Ｋａｌｌと、合計含有量Ｒａｌｌと、下記式（１０）と、を用いて所定容積Ｖｅｓｔの容器Ｌ内での全ての試料Ｓから揮発される揮発性有機化合物（Ａ）の揮発量ＲＧを求めるＲＧ演算手段と、を備える揮発量推測システムとも言える。
ＲＧ＝Ｒａｌｌ÷（１＋Ｋａｌｌ）  …式（１０）
【００９１】
請求項１０の揮発量推測システムにおける各演算は、図１０に例示されるように、ＲＤ３演算手段による移行量ＲＤ３の演算（Ｓ５１）、Ｋ１演算手段による吸着係数Ｋ１の演算（Ｓ５２）、ＲＨ２演算手段による残存量ＲＨ２の演算（Ｓ５３）、ＲＨ３演算手段による含有量ＲＨ３の演算（Ｓ５４）、Ｋａｌｌ演算手段による吸着係数Ｋａｌｌの演算（Ｓ５５）、Ｒａｌｌ演算手段による含有量Ｒａｌｌの演算（Ｓ５６）、ＲＧ演算手段による揮発量ＲＧの演算（Ｓ５７）、をこの順に行うことができる。
具体的には、移行量ＲＤ３の演算（Ｓ５１）結果を用いて吸着係数Ｋ１の演算（Ｓ５２）が行われ、吸着係数Ｋ１の演算（Ｓ５２）結果を用いて残存量ＲＨ２の演算（Ｓ５３）が行われ、残存量ＲＨ２の演算（Ｓ５３）結果を用いて、含有量ＲＨ３の演算（Ｓ５４）が行われる。一方、吸着係数Ｋ１の演算（Ｓ５２）結果を用いて、吸着係数Ｋａｌｌの演算（Ｓ５５）が行われる。更に他方、含有量ＲＨ３の演算（Ｓ５４）結果を用いて、含有量Ｒａｌｌの演算（Ｓ５６）が行われる。その後、吸着係数Ｋａｌｌの演算（Ｓ５５）結果及び含有量Ｒａｌｌの演算（Ｓ５６）結果を用いて、揮発量ＲＧの演算（Ｓ５７）が行われる。
従って、（Ｓ５１）→（Ｓ５２）→（Ｓ５３）→（Ｓ５４）→（Ｓ５５）→（Ｓ５６）→（Ｓ５７）の順で演算を行うことができる他、例えば、（Ｓ５１）→（Ｓ５２）→（Ｓ５５）→（Ｓ５３）→（Ｓ５４）→（Ｓ５６）→（Ｓ５７）の順で演算を行うこともできる。
【００９２】
この揮発量推測方法（請求項５）及びそのシステム（請求項１０）で用いられる試料Ｓ及び容器Ｌについては、上記含有量推測方法及びそのシステムにおける試料Ｓ及び容器Ｌと同様である。また、揮発性有機化合物（Ａ）及び同位体化合物（Ｂ）についてもと同様である。更に、上記残存量ＲＤ２ｍ及び上記揮発量ＲＨ１ｍについても、上記含有量推測方法及びそのシステムにおける残存量ＲＤ２ｍ及び揮発量ＲＨ１ｍと同様である。
【００９３】
本発明の各方法及びシステムは、例えば、自動車、鉄道車両、船舶及び飛行機等に内装材を配設した場合に生じる揮発性有機化合物の評価及び推測に利用できる。また、同様に、建築物等に内装材を配設した場合に生じる揮発性有機化合物の評価及び推測に利用できる。
【実施例】
【００９４】
以下、実施例により本発明を更に具体的に説明する。
〈１〉揮発性有機化合物（Ａ）と同位体化合物（Ｂ）の吸着係数Ｋの相関
（１）トルエンの放出が認められない３つのポリウレタンの試験片（８ｃｍ×１０ｃｍ×５ｃｍ）を、各々異なる３つのサンプリングバッグ（実験例１−３）に投入し、試験片が変形しない程度に各サンプリングバッグ内の気体を排出した。
【００９５】
（２）上記（１）のバッグ内に４Ｌの窒素ガスと下記の各気体を添加した。
実験例１：添加量Ｒ１＝２．６５μｇ（トルエン−Ｈ８）
実験例２：添加量Ｒ１＝３．３７μｇ（トルエン−Ｄ８）
実験例３：添加量Ｒ１＝２．７０μｇ（トルエン−Ｄ３）
【００９６】
（３）上記（２）で得られた各サンプリングバッグを、温度４０℃の恒温槽に４．５時間放置した。その後、サンプリングバッグ内の気体４Ｌに含まれるトルエン−Ｈ８（実験例１）、トルエン−Ｄ８（実験例２）、トルエン−Ｄ３（実験例３）を各々ガスクロマトグラフ質量分析により測定した。
実験例１：残存量Ｒ２＝０．３５μｇ
実験例２：残存量Ｒ２＝０．４６μｇ
実験例３：残存量Ｒ２＝０．３６μｇ
【００９７】
（４）上記（２）及び上記（３）の値を用いて、式（１）及び式（２）から各々の吸着係数Ｋを算出した。
移行量Ｒ３＝Ｒ１−Ｒ２  …式（１）
吸着係数Ｋ＝Ｒ３／Ｒ２  …式（２）
実験例１：吸着係数Ｋ＝６．６
実験例２：吸着係数Ｋ＝６．３
実験例３：吸着係数Ｋ＝６．５
【００９８】
（５）上記（４）の結果から、吸着係数Ｋは、揮発性有機化合物（Ａ）と同位体化合物（Ｂ）との間で近似できる値であることが分かる。
【００９９】
〈２〉測定容積と吸着係数Ｋの相関
（１）トルエンの放出が認められない４つのポリウレタンの試験片（８ｃｍ×１０ｃｍ×５ｃｍ）を、４つのサンプリングバッグ（実験例４−７）に各々投入し、試験片が変形しない程度に各サンプリングバッグ内の気体を排出した。
【０１００】
（２）上記（１）の各バッグ内に窒素ガス（実験例４は１Ｌ、実験例５は４Ｌ、実験例６は１６Ｌ、実験例７は３２Ｌ）と、下記量（添加量ＲＤ１）のトルエン−Ｄ８と、を投入した。
実験例４：添加量ＲＤ１＝２．８８μｇ
実験例５：添加量ＲＤ１＝２．８８μｇ
実験例６：添加量ＲＤ１＝２．８８μｇ
実験例７：添加量ＲＤ１＝３．３６μｇ
【０１０１】
（３）上記（２）で得られた各サンプリングバッグを、温度４０℃の恒温槽に４．５時間放置した。その後、サンプリングバッグ内の気体を取り出し、各バッグ内の全気体中に含まれるトルエン−Ｄ８をガスクロマトグラフ質量分析により測定した。
実験例４：残存量ＲＤ２＝０．０９５μｇ
実験例５：残存量ＲＤ２＝０．４３μｇ
実験例６：残存量ＲＤ２＝１．３０μｇ
実験例７：残存量ＲＤ２＝２．１３μｇ
【０１０２】
（４）上記（２）及び上記（３）の値を用いて、式（１）及び式（２）から各々の吸着係数Ｋを算出した。
移行量Ｒ３＝Ｒ１−Ｒ２  …式（１）
吸着係数Ｋ＝Ｒ３／Ｒ２  …式（２）
実験例４：吸着係数Ｋ＝２９．３  （１Ｌ  ）
実験例５：吸着係数Ｋ＝５．７    （４Ｌ  ）
実験例６：吸着係数Ｋ＝１．２    （１６Ｌ）
実験例７：吸着係数Ｋ＝０．６    （３２Ｌ）
【０１０３】
（５）上記（４）の結果から、測定容積Ｖ１における吸着係数Ｋ１とし、測定容積Ｖ２における吸着係数Ｋ２とした場合に、Ｋ２＝Ｋ１×（Ｖ１／Ｖ２）と近似できることが分かる。即ち、実験例４（Ｖ１及びＫ１）と実験例５（Ｖ２及びＫ２）との相関をみると、実験例４の容積Ｖ１及び吸着係数Ｋ１から予測される、実験例５（容積Ｖ２＝４Ｌ）における吸着係数Ｋ２は、２９．３×（１／４）＝７．３３であるのに対して、実測値Ｋ１＝５．７である。また、実験例４の容積Ｖ１及び吸着係数Ｋ１から予測される、実験例６（容積Ｖ２＝１６Ｌ）における吸着係数Ｋ２は、２９．３×（１／１６）＝１．８３であるのに対して、実測値Ｋ１＝１．２である。実験例４の容積Ｖ１及び吸着係数Ｋ１から予測される、実験例７（容積Ｖ２＝３２Ｌ）における吸着係数Ｋ２は、２９．３×（１／３２）＝０．９２であるのに対して、実測値Ｋ１＝０．６である。
【０１０４】
〈３〉含有量ＲＨ３と実測値との比較
（１）測定目的である揮発性有機化合物（Ａ）としてトルエンの放出が認められるポリウレタンの試験片（８ｃｍ×１０ｃｍ×５ｃｍ）を、サンプリングバッグに投入し、試験片が変形しない程度にサンプリングバッグ内の気体を排出した。
【０１０５】
（２）上記（１）のバッグ内に４Ｌの窒素ガスと所望量｛Ｂ添加量ＲＤ１（μｇ）｝の同位体化合物（Ｂ）であるトルエン−Ｄ８とを投入した。
実験例８：Ｂ添加量ＲＤ１＝０．７２μｇ
実験例９：Ｂ添加量ＲＤ１＝１．４４μｇ
実験例１０：Ｂ添加量ＲＤ１＝３．６０μｇ
【０１０６】
（３）上記（２）で得られたサンプリングバッグを、温度４０℃の恒温槽に４．５時間放置した。その後、サンプリングバッグ内の気体４Ｌに含まれる揮発性有機化合物（Ａ）の量｛Ａ揮発量ＲＨ１（μｇ）｝及び同位体化合物（Ｂ）の量｛Ｂ残存量ＲＤ２（μｇ）｝を、ガスクロマトグラフ質量分析により測定した。
実験例８：Ｂ残存量ＲＤ２＝０．０７３μｇ、Ａ揮発量ＲＨ１＝０．３７μｇ
実験例９：Ｂ残存量ＲＤ２＝０．１４７μｇ、Ａ揮発量ＲＨ１＝０．３０μｇ
実験例１０：Ｂ残存量ＲＤ２＝０．３７７μｇ、Ａ揮発量ＲＨ１＝０．３０μｇ
【０１０７】
（４）上記（２）及び上記（３）の値を用いて、バッグ内に添加されたトルエン−Ｄ８のうちテストピース内に移行された移行量ＲＤ３を式（１）から算出した。
移行量ＲＤ３＝Ｂ添加量ＲＤ１−Ｂ残存量ＲＤ２  …式（１）
実験例８：移行量ＲＤ３＝０．６４７μｇ
実験例９：移行量ＲＤ３＝１．２９３μｇ
実験例１０：移行量ＲＤ３＝３．２２３μｇ
【０１０８】
（５）上記（３）及び上記（４）の値を用いて、テストピースの揮発性有機化合物（Ａ）に対する吸着係数Ｋ１を式（２）から算出した。
吸着係数Ｋ１＝ＲＤ３／ＲＤ２  …式（２）
実験例８：吸着係数Ｋ１＝８．８６
実験例９：吸着係数Ｋ１＝８．８０
実験例１０：吸着係数Ｋ１＝８．５５
上記〈１〉の実験から、上記吸着係数Ｋ１として、同位体化合物（Ｂ）に対する吸着係数を揮発性有機化合物（Ａ）の吸着係数として利用している。
【０１０９】
（６）上記（３）及び上記（４）の値を用いて、テストピース内に残存されていると推測される揮発性有機化合物（Ａ）の残存量ＲＨ２を式（３）から算出した。
残存量ＲＨ２＝Ｋ１×ＲＨ１  …式（３）
実験例８：残存量ＲＨ２＝３．２８μｇ
実験例９：残存量ＲＨ２＝２．６４μｇ
実験例１０：残存量ＲＨ２＝２．５７μｇ
【０１１０】
（７）上記（３）及び上記（６）の値を用いて、テストピース内に含有されると推測される揮発性有機化合物（Ａ）の含有量ＲＨ３を式（４）から算出した。
含有量ＲＨ３＝ＲＨ１＋ＲＨ２  …式（４）
実験例８：含有量ＲＨ３＝３．６５μｇ
実験例９：含有量ＲＨ３＝２．９４μｇ
実験例１０：含有量ＲＨ３＝２．８７μｇ
【０１１１】
（８）一方、上記（１）で利用したテストピース（測定前のテストピース）を、入口と出口を有する容積４Ｌのステンレス製容器内に投入したうえで温度８０℃の恒温槽内で、入口から流速１Ｌ／分で窒素を供給し、出口から排出される窒素ガス内に含まれる揮発性有機化合物（Ａ）であるトルエンの積算量を測定（ＧＣ−ＭＳによる）した。その結果、積算量は２．９μｇであった。この積算量は、含有量ＲＨ３とほぼ同値になることが期待される値である。
【０１１２】
（９）上記（７）と上記（８）の結果を対照すると、実験例８は実測値から＋２６％のずれを生じたものの、実験例９では−１％、実験例１０では−１％と、非常に高い近似値が得られていることが分かる。即ち、請求項２に記載の含有量推測方法及び請求項７に記載の含有量推測システムが優れた推測方法及びシステムであることが分かる。
実験例８：＋２６％の近似結果
実験例９：−１％の近似結果
実験例１０：−１％の近似結果
【０１１３】
〈４〉吸着係数Ｋの加算性
（１）トルエンの放出が認められないポリウレタンの試験片（８ｃｍ×１０ｃｍ×５ｃｍ）を、異なる３つのサンプリングバッグのうち、実験例１１に１個、実験例１２に２個、実験例１３に４個を、投入した後、試験片が変形しない程度に各サンプリングバッグ内の気体を排出した。
実験例１１：試験片数ｎ＝１
実験例１２：試験片数ｎ＝２ 
実験例１３：試験片数ｎ＝４ 
【０１１４】
（２）上記（１）の各バッグ内に４Ｌの窒素ガスとトルエン−Ｄ８を添加した。
実験例１１：添加量ＲＤ１＝３．８６６μｇ
実験例１２：添加量ＲＤ１＝３．８６６μｇ
実験例１３：添加量ＲＤ１＝３．８６６μｇ
【０１１５】
（３）上記（２）で得られた各サンプリングバッグを、温度４０℃の恒温槽に４．５時間放置した。その後、サンプリングバッグ内の気体４Ｌに含まれるトルエン−Ｄ８を各々ガスクロマトグラフ質量分析により測定した。
実験例１１：残存量ＲＤ２＝０．４５３μｇ
実験例１２：残存量ＲＤ２＝０．２２４μｇ
実験例１３：残存量ＲＤ２＝０．１０１μｇ
【０１１６】
（４）上記（２）及び上記（３）の値を用いて、式（１）及び式（２）から各々の吸着係数Ｋを算出した。
移行量Ｒ３＝Ｒ１−Ｒ２  …式（１）
吸着係数Ｋ＝Ｒ３／Ｒ２  …式（２）
実験例１１：吸着係数Ｋ＝７．５
実験例１２：吸着係数Ｋ＝１６．３
実験例１３：吸着係数Ｋ＝３７．３
【０１１７】
（５）上記（４）の結果から、吸着係数Ｋは、加算性を有しているものとして近似できることが分かる。即ち、実験例１１から予測される実験例１２の吸着係数Ｋは７．５×２＝１５であるのに対して、実測値Ｋ＝１６．３である。また、実験例１１から予測される実験例１３の吸着係数Ｋは７．５×４＝３０であるのに対して、実測値Ｋ＝３７．３である。
【０１１８】
〈５〉異なる試料を併用した場合の揮発性有機化合物（Ａ）の合計揮発量の推測
（１）合計揮発量の推測
予め他の実験例と同様にして、吸着係数Ｋ１ｍ、試料内のトルエンの含有量ＲＨ３ｍ、が下記の通りに評価・推測されたポリウレタン１個と、天井材（８ｃｍ×１０ｃｍ×５〜６ｍｍ）４枚と、を用意した。
ポリウレタン；Ｋ１１＝７．７、ＲＨ３１＝２．７７μｇ
天井材      ；Ｋ１２＝１．２４、ＲＨ３２＝０．１７μｇ
【０１１９】
上記２種類の試料から放出されると推測されるトルエンの合計揮発量を、請求項５に記載の推測方法｛式（１１）、式（１２）及び式（１０）｝を用いて推測した。
Ｋａｌｌ＝（Ｋ１１×Ｙ１）＋（Ｋ１２×Ｙ２）  …式（１１）
｛但し、ｍ＝２、Ｖ１＝Ｖｅｓｔにおける式（１１）｝
即ち、Ｋａｌｌ＝（７．７×１）＋（１．２４×４）＝１２．７
Ｒａｌｌ＝（ＲＨ３１×Ｙ１）＋（ＲＨ３２×Ｙ２）…式（１２）
｛但し、ｍ＝２における式（１２）｝
即ち、Ｒａｌｌ＝（２．７７×１）＋（０．１７×４）＝３．４５μｇ
ＲＧ＝Ｒａｌｌ÷（１＋Ｋａｌｌ）  …式（１０）
即ち、ＲＧ＝３．４５／（１＋１２．７）＝０．２５μｇ
【０１２０】
（２）実測値の測定
上記（１）のポリウレタン１個と、天井材４枚と、をサンプリングバッグに投入し、試験片が変形しない程度にサンプリングバッグ内の気体を排出した後、窒素ガスのみを４Ｌ投入した。次いで、このサンプリングバッグを、温度４０℃の恒温槽に４．５時間放置した。その後、サンプリングバッグ内の気体４Ｌに含まれる揮発性有機化合物（Ａ）の量を、ガスクロマトグラフ質量分析により測定した。その結果、合計揮発量は０．２７μｇであった。従って、上記推測値と実測値とは−７％の誤差で近似されたことが分かる。
【０１２１】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする
【図１】
2014044120.tif 000003
【図２】
2014044120.tif 000004
【図３】
2014044120.tif 000005
【図４】
2014044120.tif 000006
【図５】
2014044120.tif 000007
【図６】
2014044120.tif 000008
【図７】
2014044120.tif 000009
【図８】
2014044120.tif 000010
【図９】
2014044120.tif 000011
【図１０】
2014044120.tif 000012